(57)【特許請求の範囲】
【請求項１】
スタック形式のデータ構造を処理するためのシステムであって、
自然言語プロセッサコンポーネント、インターフェース、話者認識コンポーネント、およびダイレクトアクションアプリケーションプログラミングインターフェースを実行するための1つまたは複数のプロセッサおよびメモリを含むデータ処理システムを含み、前記データ処理システムが、
ローカルコンピューティングデバイスのセンサによって検出された入力オーディオ信号を含むデータパケットを前記インターフェースを介して受信することと、
前記入力オーディオ信号から音響シグネチャを特定することと、
データリポジトリ内でのルックアップに基づいて前記音響シグネチャに対応する電子アカウントを特定することと、
前記電子アカウントを特定したことに応答して、セッションおよび前記セッションにおいて使用するためのプロファイルスタックデータ構造を確立することであって、前記プロファイルスタックデータ構造が、第三者エンティティのデバイスによって構成された1つまたは複数のポリシーを有する第1のプロファイルレイヤを含む、確立することと、
前記電子アカウントから取り出された第2のプロファイルレイヤを、前記セッションのために確立された前記プロファイルスタックデータ構造にプッシュすることと、
要求および前記要求に対応するトリガキーワードを特定するために前記入力オーディオ信号をパースすることと、
前記プロファイルスタックデータ構造の前記第1のプロファイルレイヤに適合する前記要求に応答する第1のアクションデータ構造を、前記トリガキーワードと前記プロファイルスタックデータ構造にプッシュされた前記第2のプロファイルレイヤとに基づいて生成することと、
実行するために前記第1のアクションデータ構造を提供することと、
トリガイベントを検出したことに応答して、前記プロファイルスタックデータ構造を分解して、前記プロファイルスタックデータ構造から前記第1のプロファイルレイヤまたは前記第2のプロファイルレイヤのうちの一方を取り除くこととを行うためのものである、システム。
【請求項２】
前記ルックアップすることに基づいて、前記音響シグネチャに対応する前記電子アカウントがないと判定することと、
前記ないと判定したことに応答して前記データリポジトリ内に前記電子アカウントを作成することと、
前記電子アカウントを前記音響シグネチャにマッピングすることとを行うための前記データ処理システムを含む、請求項1に記載のシステム。
【請求項３】
前記第1のプロファイルレイヤが、1つまたは複数のインターネットに接続されたデバイスに関するラベルを含み、前記ラベルが、前記第三者エンティティの前記デバイスによって確立される、請求項1に記載のシステム。
【請求項４】
前記第1のプロファイルレイヤの前記1つまたは複数のポリシーが、ある種類のアクションデータ構造をブロックするためのポリシーを含む、請求項1に記載のシステム。
【請求項５】
前記要求に応答する前記第1のアクションデータ構造を、前記トリガキーワードと前記プロファイルスタックデータ構造にプッシュされた前記第2のプロファイルレイヤとに基づいて生成することと、
前記第1のアクションデータ構造を前記第1のプロファイルレイヤの前記1つまたは複数のポリシーと比較することと、
前記第1のプロファイルレイヤの前記1つまたは複数のポリシーとの前記第1のアクションデータ構造の比較に基づいて、前記第1のアクションデータ構造が前記第1のプロファイルレイヤに適合していると判定することと、
前記第1のプロファイルレイヤに適合していると判定された前記第1のアクションデータ構造に応答して、実行するために前記第1のアクションデータ構造を提供することとを行うための前記データ処理システムを含む、請求項1に記載のシステム。
【請求項６】
前記第1のプロファイルレイヤの前記1つまたは複数のポリシーが、ある種類のアクションデータ構造をブロックするためのポリシーを含み、前記システムが、
前記第1のアクションデータ構造が前記第1のプロファイルレイヤに適合すると判定するために、前記第1のアクションデータ構造の種類を前記第1のプロファイルレイヤの前記1つまたは複数のポリシーによって示されたアクションデータ構造の前記種類と比較することを行うための前記データ処理システムを含む、請求項5に記載のシステム。
【請求項７】
前記1つまたは複数のポリシーが、ある種類のコンテンツをブロックするためのポリシーを含み、前記データ処理システムが、
前記自然言語プロセッサコンポーネントによって特定された前記トリガキーワード、および前記プロファイルスタックデータ構造を受信することと、
前記トリガキーワードおよび前記プロファイルスタックデータ構造に基づいて、前記第1のプロファイルレイヤと前記第2のプロファイルレイヤとの両方に適合しているデジタルコンポーネントを選択することとを行うためのコンテンツセレクタコンポーネントを含む、請求項1に記載のシステム。
【請求項８】
前記セッションのための合併されたプロファイルを生成するために前記第1のプロファイルレイヤを前記第2のプロファイルレイヤと合併することを行うための前記データ処理システムを含む、請求項1に記載のシステム。
【請求項９】
時間間隔に基づいて前記トリガイベントを検出するための前記データ処理システムを含む、請求項1に記載のシステム。
【請求項１０】
地理的フェンスに基づいて前記トリガイベントを検出するための前記データ処理システムを含む、請求項1に記載のシステム。
【請求項１１】
前記ローカルコンピューティングデバイスの前記センサによって検出された第2の入力オーディオ信号を含む第2のデータパケットを前記インターフェースを介して受信することであって、前記第2の入力オーディオ信号が、前記入力オーディオ信号の後に検出される、受信することと、
前記第2の入力オーディオ信号から第2の音響シグネチャを特定することであって、前記第2の音響シグネチャが、前記音響シグネチャと異なる、特定することと、
前記音響シグネチャと異なる前記第2の音響シグネチャの特定に基づいて前記トリガイベントを判定することとを行うための前記データ処理システムを含む、請求項1に記載のシステム。
【請求項１２】
スタック形式のデータ構造を処理する方法であって、
ローカルコンピューティングデバイスのセンサによって検出された入力オーディオ信号を含むデータパケットを、1つまたは複数のプロセッサを含むデータ処理システムのインターフェースを介して受信するステップと、
前記データ処理システムによって、前記入力オーディオ信号から音響シグネチャを特定するステップと、
前記データ処理システムによって、データリポジトリ内でのルックアップに基づいて前記音響シグネチャに対応する電子アカウントを特定するステップと、
前記データ処理システムによって、前記電子アカウントを特定したことに応答して、セッションおよび前記セッションにおいて使用するためのプロファイルスタックデータ構造を確立するステップであって、前記プロファイルスタックデータ構造が、第三者エンティティのデバイスによって構成された1つまたは複数のポリシーを有する第1のプロファイルレイヤを含む、確立するステップと、
前記データ処理システムによって、前記電子アカウントから取り出された第2のプロファイルレイヤを、前記セッションのために確立された前記プロファイルスタックデータ構造にプッシュするステップと、
前記データ処理システムによって、要求および前記要求に対応するトリガキーワードを特定するために前記入力オーディオ信号をパースするステップと、
前記データ処理システムによって、前記プロファイルスタックデータ構造の前記第1のプロファイルレイヤに適合する前記要求に応答する第1のアクションデータ構造を、前記トリガキーワードと前記プロファイルスタックデータ構造にプッシュされた前記第2のプロファイルレイヤとに基づいて生成するステップと、
前記データ処理システムによって、実行するために前記第1のアクションデータ構造を提供するステップと、
前記データ処理システムによって、トリガイベントを検出したことに応答して、前記プロファイルスタックデータ構造を分解して、前記プロファイルスタックデータ構造から前記第1のプロファイルレイヤまたは前記第2のプロファイルレイヤのうちの一方を取り除くステップとを含む、方法。
【請求項１３】
前記ルックアップすることに基づいて、前記音響シグネチャに対応する前記電子アカウントがないと判定するステップと、
ないと判定したことに応答して前記データリポジトリ内に前記電子アカウントを作成するステップと、
前記電子アカウントを前記音響シグネチャにマッピングするステップとを含む、請求項12に記載の方法。
【請求項１４】
前記要求に応答する前記第1のアクションデータ構造を、前記トリガキーワードと前記プロファイルスタックデータ構造にプッシュされた前記第2のプロファイルレイヤとに基づいて生成するステップと、
前記第1のアクションデータ構造を前記第1のプロファイルレイヤの前記1つまたは複数のポリシーと比較するステップと、
前記第1のプロファイルレイヤの前記1つまたは複数のポリシーとの前記第1のアクションデータ構造の比較に基づいて、前記第1のアクションデータ構造が前記第1のプロファイルレイヤに適合していると判定するステップと、
前記第1のプロファイルレイヤに適合していると判定された前記第1のアクションデータ構造に応答して、実行するために前記第1のアクションデータ構造を提供するステップとを含む、請求項12に記載の方法。
【請求項１５】
前記第1のプロファイルレイヤの前記1つまたは複数のポリシーが、ある種類のアクションデータ構造をブロックするためのポリシーを含み、前記方法が、
前記第1のアクションデータ構造が前記第1のプロファイルレイヤに適合すると判定するために、前記第1のアクションデータ構造の種類を前記第1のプロファイルレイヤの前記1つまたは複数のポリシーによって示されたアクションデータ構造の前記種類と比較するステップを含む、請求項14に記載の方法。
【請求項１６】
前記1つまたは複数のポリシーが、ある種類のコンテンツをブロックするためのポリシーを含み、前記方法が、
自然言語プロセッサコンポーネントによって特定された前記トリガキーワード、および前記プロファイルスタックデータ構造を受信するステップと、
前記トリガキーワードおよび前記プロファイルスタックデータ構造に基づいて、前記第1のプロファイルレイヤと前記第2のプロファイルレイヤとの両方に適合しているデジタルコンポーネントを選択するステップとを含む、請求項12に記載の方法。
【請求項１７】
前記セッションのための合併されたプロファイルを生成するために前記第1のプロファイルレイヤを前記第2のプロファイルレイヤと合併するステップを含む、請求項12に記載の方法。
【請求項１８】
前記ローカルコンピューティングデバイスの前記センサによって検出された第2の入力オーディオ信号を含む第2のデータパケットを前記インターフェースを介して受信するステップであって、前記第2の入力オーディオ信号が、前記入力オーディオ信号の後に検出される、受信するステップと、
前記第2の入力オーディオ信号から第2の音響シグネチャを特定するステップであって、前記第2の音響シグネチャが、前記音響シグネチャと異なる、特定するステップと、
前記音響シグネチャと異なる前記第2の音響シグネチャの特定に基づいて前記トリガイベントを判定するステップとを含む、請求項12に記載の方法。
【請求項１９】
オーディオドライバと、
トランスデューサと、
入力オーディオ信号を検出するためのセンサと、
前記オーディオドライバ、前記トランスデューサ、および前記センサに結合されたプリプロセッサコンポーネントと
を含むデジタルアシスタントデバイスであって、前記プリプロセッサコンポーネントが、
フィルタリングされた入力オーディオ信号を生成するために前記入力オーディオ信号をフィルタリングすること、
前記フィルタリングされた入力オーディオ信号をデータパケットに変換すること、
自然言語プロセッサコンポーネント、インターフェース、話者認識コンポーネント、およびダイレクトアクションアプリケーションプログラミングインターフェースを実行する1つまたは複数のプロセッサおよびメモリを含むデータ処理システムに前記データパケットを送信することを行うためのものであり、前記データ処理システムが、
前記センサによって検出された前記フィルタリングされた入力オーディオ信号を含む前記データパケットを前記プリプロセッサコンポーネントから前記インターフェースを介して受信すること、
前記入力オーディオ信号から音響シグネチャを特定すること、
データリポジトリ内でのルックアップに基づいて前記音響シグネチャに対応する電子アカウントを特定すること、
前記電子アカウントを特定したことに応答して、セッションおよび前記セッションにおいて使用するためのプロファイルスタックデータ構造を確立することであって、前記プロファイルスタックデータ構造が、第三者エンティティのデバイスによって構成された1つまたは複数のポリシーを有する第1のプロファイルレイヤを含む、確立すること、
前記電子アカウントから取り出された第2のプロファイルレイヤを、前記セッションのために確立された前記プロファイルスタックデータ構造にプッシュすること、
要求および前記要求に対応するトリガキーワードを特定するために前記入力オーディオ信号をパースすること、
前記プロファイルスタックデータ構造の前記第1のプロファイルレイヤに適合する前記要求に応答する第1のアクションデータ構造を、前記トリガキーワードと前記プロファイルスタックデータ構造にプッシュされた前記第2のプロファイルレイヤとに基づいて生成すること、
実行するために前記第1のアクションデータ構造を提供すること、
トリガイベントを検出したことに応答して、前記プロファイルスタックデータ構造を分解して、前記プロファイルスタックデータ構造から前記第1のプロファイルレイヤまたは前記第2のプロファイルレイヤのうちの一方を取り除くこと、ならびに
前記プロファイルスタックデータ構造のステータスを前記プリプロセッサコンポーネントに提供することを行うためのものであり、
前記オーディオドライバが、前記プロファイルスタックデータ構造の前記ステータスの指示を受信し、前記指示に基づいて出力信号を生成するためのものであり、
前記トランスデューサが、前記オーディオドライバによって生成された前記出力信号に基づいて音を生成するためのものである、デバイス。
【請求項２０】
光源と、
前記光源に前記プロファイルスタックデータ構造の前記ステータスに対応する視覚的な指示を提供させるための前記プリプロセッサコンポーネントとを含む、請求項19に記載のデバイス。
【発明の詳細な説明】
【技術分野】
【０００１】
本発明は、スタック形式のデータ構造のデジタルアシスタント処理に関する。
【背景技術】
【０００２】
公共空間に置かれたコンピューティングデバイスは、安全ではない可能性がある。様々なエンティティが、公共のコンピューティングデバイスにアクセスするかまたは利用する可能性がある。異なるエンティティが公共のコンピューティングデバイスにアクセスするかまたは利用するとき、異なるエンティティのためのポリシーに伴う曖昧性が原因で特定のエンティティのための遠隔手続き呼び出し、アプリケーション、またはスクリプトを正確に処理することが難しくなり、それによって、無駄なネットワークおよび処理リソースにつながる誤ったネットワーク送信、アプリケーションの呼び出し、および遠隔手続き呼び出しを引き起こすことがある。
【発明の概要】
【課題を解決するための手段】
【０００３】
概して、本開示は、公共の場所にあるデジタルアシスタントの効率を改善するためにスタック形式のデータ構造を処理することを対象とする。データ処理システムが、電子アカウントを特定するために話者認識を実行し、それから、公共の場所に関連する第三者エンティティによって確立されたベースラインプロファイルを有する第1のレイヤを含むプロファイルスタックデータ構造に話者に関連するプロファイルをプッシュすることができる。データ処理システムは、トリガイベントに応答してプロファイルスタックデータ構造を分解することができ、それによって、セキュリティを維持し、誤った遠隔手続き呼び出しを削減する。
【０００４】
少なくとも1つの態様は、スタック形式のデータ構造を処理するためのシステムを対象とする。システムは、自然言語プロセッサコンポーネント、インターフェース、話者認識コンポーネント、およびダイレクトアクションアプリケーションプログラミングインターフェースを実行するための1つまたは複数のプロセッサおよびメモリを有するデータ処理システムを含み得る。インターフェースは、ローカルコンピューティングデバイスのセンサによって検出された入力オーディオ信号を含むデータパケットを受信することができる。データ処理システムは、入力オーディオ信号から音響シグネチャ(acoustic signature)を特定することができる。データ処理システムは、データリポジトリ内でのルックアップに基づいて音響シグネチャに対応する電子アカウントを特定することができる。データ処理システムは、電子アカウントを特定したことに応答して、セッションおよびセッションにおいて使用するためのプロファイルスタックデータ構造を確立することができる。プロファイルスタックデータ構造は、第三者エンティティのデバイスによって構成された1つまたは複数のポリシーを有する第1のプロファイルレイヤを含み得る。データ処理システムは、アカウントから取り出された第2のプロファイルレイヤを、セッションのために確立されたプロファイルスタックデータ構造にプッシュすることができる。データ処理システムは、要求および要求に対応するトリガキーワードを特定するために入力オーディオ信号をパースすることができる。データ処理システムは、プロファイルスタックデータ構造の第1のプロファイルレイヤに適合する要求に応答する第1のアクションデータ構造を、トリガキーワードとプロファイルスタックデータ構造にプッシュされた第2のプロファイルレイヤとに基づいて生成することができる。データ処理システムは、実行するために第1のアクションデータ構造を提供することができる。データ処理システムは、トリガイベントを検出したことに応答して、プロファイルスタックデータ構造を分解して、プロファイルスタックデータ構造から第1のプロファイルレイヤまたは第2のプロファイルレイヤのうちの一方を取り除くことができる。
【０００５】
少なくとも1つの態様は、スタック形式のデータ構造を処理する方法を対象とする。方法は、1つまたは複数のプロセッサおよびメモリを有するデータ処理システムによって実行され得る。方法は、データ処理システムのインターフェースがローカルコンピューティングデバイスのセンサによって検出された入力オーディオ信号を含むデータパケットを受信するステップを含み得る。方法は、データ処理システムが入力オーディオ信号から音響シグネチャを特定するステップを含み得る。方法は、データ処理システムがデータリポジトリ内でのルックアップに基づいて音響シグネチャに対応する電子アカウントを特定するステップを含み得る。方法は、データ処理システムが電子アカウントを特定したことに応答してセッションおよびセッションにおいて使用するためのプロファイルスタックデータ構造を確立するステップを含み得る。プロファイルスタックデータ構造は、第三者エンティティのデバイスによって構成された1つまたは複数のポリシーを有する第1のプロファイルレイヤを含み得る。方法は、データ処理システムがアカウントから取り出された第2のプロファイルレイヤをセッションのために確立されたプロファイルスタックデータ構造にプッシュするステップを含み得る。方法は、データ処理システムが要求および要求に対応するトリガキーワードを特定するために入力オーディオ信号をパースするステップを含み得る。方法は、データ処理システムがプロファイルスタックデータ構造の第1のプロファイルレイヤに適合する要求に応答する第1のアクションデータ構造を、トリガキーワードとプロファイルスタックデータ構造にプッシュされた第2のプロファイルレイヤとに基づいて生成するステップを含み得る。方法は、データ処理システムが実行するために第1のアクションデータ構造を提供するステップを含み得る。方法は、データ処理システムがトリガイベントを検出したことに応答してプロファイルスタックデータ構造を分解して、プロファイルスタックデータ構造から第1のプロファイルレイヤまたは第2のプロファイルレイヤのうちの一方を取り除くステップを含み得る。
【０００６】
少なくとも1つの態様は、デジタルアシスタントデバイスを対象とする。デジタルアシスタントデバイスは、オーディオドライバと、トランスデューサと、入力オーディオ信号を検出するためのセンサと、オーディオドライバ、トランスデューサ、およびセンサに結合されたプリプロセッサコンポーネントとを含み得る。プリプロセッサコンポーネントは、フィルタリングされた入力オーディオ信号を生成するために入力オーディオ信号をフィルタリングすることができる。プリプロセッサコンポーネントは、フィルタリングされた入力オーディオ信号をデータパケットに変換することができる。プリプロセッサコンポーネントは、自然言語プロセッサコンポーネント、インターフェース、話者認識コンポーネント、およびダイレクトアクションアプリケーションプログラミングインターフェースを実行する、1つまたは複数のプロセッサおよびメモリを含むデータ処理システムにデータパケットを送信することができる。データ処理システムは、センサによって検出されたフィルタリングされた入力オーディオ信号を含むデータパケットをプリプロセッサコンポーネントからインターフェースを介して受信することができる。データ処理システムは、入力オーディオ信号から音響シグネチャを特定することができる。データ処理システムは、データリポジトリ内でのルックアップに基づいて音響シグネチャに対応する電子アカウントを特定することができる。データ処理システムは、電子アカウントを特定したことに応答して、セッションおよびセッションにおいて使用するためのプロファイルスタックデータ構造を確立することができる。プロファイルスタックデータ構造は、第三者エンティティのデバイスによって構成された1つまたは複数のポリシーを有する第1のプロファイルレイヤを含み得る。データ処理システムは、電子アカウントから取り出された第2のプロファイルレイヤを、セッションのために確立されたプロファイルスタックデータ構造にプッシュすることができる。データ処理システムは、要求および要求に対応するトリガキーワードを特定するために入力オーディオ信号をパースすることができる。データ処理システムは、プロファイルスタックデータ構造の第1のプロファイルレイヤに適合する要求に応答する第1のアクションデータ構造を、トリガキーワードとプロファイルスタックデータ構造にプッシュされた第2のプロファイルレイヤとに基づいて生成することができる。データ処理システムは、実行するために第1のアクションデータ構造を提供することができる。データ処理システムは、トリガイベントを検出したことに応答して、プロファイルスタックデータ構造を分解して、プロファイルスタックデータ構造から第1のプロファイルレイヤまたは第2のプロファイルレイヤのうちの一方を取り除くことができる。データ処理システムは、プロファイルスタックデータ構造のステータスをプリプロセッサコンポーネントに提供することができる。デジタルアシスタントデバイスのオーディオドライバは、さらに、プロファイルスタックデータ構造のステータスの指示を受信し、指示に基づいて出力信号を生成することができる。デジタルアシスタントデバイスのトランスデューサは、さらに、オーディオド���イバによって生成された出力信号に基づいて音を生成することができる。
【０００７】
これらのおよびその他の態様および実装が、下で詳細に検討される。上述の情報および下の詳細な説明は、様々な態様および実装の例示的な例を含み、請求される態様および実装の本質および特徴を理解するための概要または枠組みを提供する。図面は、様々な態様および実装の例示をし、さらに理解させ、本明細書の一部に組み込まれ、本明細書の一部を構成する。
【０００８】
添付の図面は、正しい縮尺で描かれるように意図されていない。様々な図面における同様の参照番号および参照指示は、同様の要素を示す。明瞭にする目的で、あらゆる図面においてあらゆるコンポーネントがラベル付けされるとは限らない可能性がある。
【図面の簡単な説明】
【０００９】
【図１】コンピュータネットワークによってスタック形式のデータ構造を処理するためのシステムの図である。
【図２】コンピュータネットワークによってスタック形式のデータ構造を処理するためのシステムの動作の図である。
【図３】コンピュータネットワークによってスタック形式のデータ構造を処理するためのシステムの動作の図である。
【図４】コンピュータネットワークによってスタック形式のデータ構造を処理するためのシステムの動作の図である。
【図５】コンピュータネットワークによってスタック形式のデータ構造を処理する方法の図である。
【図６】本明細書において説明され、図示されるシステムおよび方法の要素を実装するために使用され得るコンピュータシステムのための大まかなアーキテクチャを示すブロック図である。
【発明を実施するための形態】
【００１０】
以下は、コンピュータネットワークを介してパケット化されたアクション(packetized action)をルーティングする方法、装置、およびシステムに関連する様々な概念ならびにそれらの方法、装置、およびシステムの実装のより詳細な説明である。上で導入され、下でより詳細に検討される様々な概念は、多数の方法のいずれかで実装される可能性がある。
【００１１】
概して、本開示は、公共の場所にあるデジタルアシスタントを動作させ、その効率を改善するためにスタック形式のデータ構造を処理することを対象とする。データ処理システムが、電子アカウントを特定するために話者認識を実行し、それから、公共の場所に関連する第三者エンティティによって確立されたベースラインプロファイルを有する第1のレイヤを含むプロファイルスタックデータ構造に、話者に関連するプロファイルをプッシュすることができる。データ処理システムは、トリガイベントに応答してプロファイルスタックデータ構造を分解することができ、それによって、セキュリティを維持し、誤った遠隔手続き呼び出しを削減する。
【００１２】
この解決策は、エンドユーザからの音声に基づく命令をパースし、音響シグネチャを特定し、対応するプロファイルを選択し、第1のレイヤ内にデフォルトプロファイルを含むプロファイルスタックにプロファイルをプッシュし、選択されたプロファイルを使用してアクションデータ構造を構築し、アクションデータ構造がデフォルトプロファイルに適合するかどうかを判定し、アクションデータ構造を対応するデバイスにルーティングし、それから、トリガイベントに応答してプロファイルスタックを分解することによってリソースの消費、プロセッサの利用、バッテリーの消費、帯域幅の利用、オーディオファイルのサイズ、またはスピーカによって消費される時間の量を削減することができる。
【００１３】
この解決策のシステムおよび方法は、ホテルの部屋などの公共の場において使用するために、または来客が一時的な使用(たとえば、10分、30分、1時間、2時間、24時間、48時間、72時間)のためにデジタルアシスタントにサインインすることを可能にするためにデジタルアシスタントを構成することができる。解決策は、以前の構成に戻し、すべてのセッション情報を消去するかまたは保護することによってデジタルアシスタントがインテリジェントにアカウントと結合およびアカウントから分離することを可能にすることができる。デジタルアシスタントは、任意の第三者デバイスまたはインターフェースとのセッションまたはリンクをさらに確立することによってインテリジェントに結合することができる。デジタルアシスタントは、クイックレスポンスコード、光符号、バーコード、またはフィンガープリンティングを提供することが可能であるその他の視覚もしくは音響信号を示すなど、正しいデバイスがサービスのために利用されることを保証するのを助けるための安全な認証メカニズムを提供することができる。解決策は、デジタルアシスタントを工場出荷時設定にリセットし、分離を自動的にトリガし、適切な分離を保証するための冗長なメカニズムを提供することによって分離することができる。解決策は、デジタルアシスタントまたはデジタルアシスタントによって提供されるデジタルコンテンツのカスタマイズを許すこともできる。たとえば、デジタルアシスタントを提供するホテルのためのデジタルコンポーネントが、ホテルのブランディングを提供するためにより重く重み付けされ得る。また、ユーザがデジタルアシスタントをまだ持っていない場合に、デジタルコンポーネントが、デジタルアシスタントのために提供され得る。
【００１４】
図1は、プロファイルスタックを処理するための例示的なシステム100を示す。システム100は、コンテンツ選択インフラストラクチャを含み得る。システム100は、データ処理システム102を含み得る。データ処理システム102は、ネットワーク105を介して1つまたは複数のコンテンツプロバイダコンピューティングデバイス106、第三者デバイス146、またはローカルコンピューティングデバイス104と通信することができる。ネットワーク105は、インターネット、ローカルエリアネットワーク、ワイドエリアネットワーク、メトロエリアネットワーク、またはその他のエリアネットワークなどのコンピュータネットワーク、イントラネット、衛星ネットワーク、および音声またはデータモバイル電話ネットワークなどのその他の通信ネットワークを含み得る。ネットワーク105は、ラップトップ、デスクトップ、タブレット、デジタルアシスタントデバイス、スマートフォン、ポータブルコンピュータ、またはスピーカなどの少なくとも1つのローカルコンピューティングデバイス104上で提示されるか、出力されるか、レンダリングされるか、または表示され得るウェブページ、ウェブサイト、ドメイン名、またはユニフォームリソースロケータなどの情報リソースにアクセスするために使用され得る。たとえば、ネットワーク105を介して、ローカルコンピューティングデバイス104のユーザは、コンテンツプロバイダ106によって提供される情報またはデータにアクセスすることができる。コンピューティングデバイス104は、ディスプレイを含む可能性があり、または含まない可能性があり、たとえば、コンピューティングデバイスは、マイクロフォンおよびスピーカなどの限られた種類のユーザインターフェースを含む可能性がある。場合によっては、コンピューティングデバイス104の主なユーザインターフェースは、マイクロフォンおよびスピーカ、または音声インターフェースである可能性がある。
【００１５】
ローカルコンピューティングデバイス104は、公共の場所202などの公共の場かまたは私的な場所402などの私的な場に置かれるコンピューティングデバイスまたはクライアントデバイスを指す可能性がある。ローカルという用語は、ユーザが音声入力またはその他の入力を使用してコンピューティングデバイスとインタラクションすることができる場所にコンピューティングデバイスが置かれていることを指す可能性がある。ローカルコンピューティングデバイスは、データ処理システム102などの遠隔のサーバから離れて置かれ得る。したがって、ローカルコンピューティングデバイス104は、ユーザが音声入力を使用してローカルコンピューティングデバイス104とインタラクションすることができるホテルの部屋、モール、小個室、またはその他の建物または住居内に配置され得る一方、データ処理システム102は、たとえば、遠隔のデータセンター内に置かれ得る。ローカルコンピューティングデバイス104は、デジタルアシスタントデバイスと呼ばれる可能性がある。
【００１６】
ネットワーク105は、表示ネットワーク(display network)、たとえば、コンテンツ配置または検索エンジン結果システムに関連付けられるか、または第三者のデジタルコンポーネントをデジタルコンポーネント配置キャンペーン(digital component placement campaign)の一部として含むのにふさわしいインターネット上で利用可能な情報リソースのサブセットを、含むかまたは成すことが可能である。ネットワーク105は、ローカルクライアントコンピューティングデバイス104によって提示されるか、出力されるか、レンダリングされるか、または表示され得るウェブページ、ウェブサイト、ドメイン名、またはユニフォームリソースロケータなどの情報リソースにアクセスするためにデータ処理システム102によって使用され得る。たとえば、ネットワーク105を介して、ローカルクライアントコンピューティングデバイス104のユーザは、コンテンツプロバイダコンピューティングデバイス106またはサービスプロバイダコンピューティングデバイス108によって提供される情報またはデータにアクセスすることができる。
【００１７】
ネットワーク105は、任意の種類または形態のネットワークであってよく、以下、すなわち、ポイントツーポイントネットワーク、ブロードキャストネットワーク、ワイドエリアネットワーク、ローカルエリアネットワーク、電気通信ネットワーク、データ通信ネットワーク、コンピュータネットワーク、ATM(非同期転送モード)ネットワーク、SONET(同期光ネットワーク)ネットワーク、SDH(同期デジタルハイアラーキ)ネットワーク、ワイヤレスネットワーク、および有線ネットワークのいずれかを含む可能性がある。ネットワーク105は、赤外線チャネルまたは衛星帯域などのワイヤレスリンクを含む可能性がある。ネットワーク105のトポロジーは、バス型、スター型、またはリング型ネットワークトポロジーを含む可能性がある。ネットワークは、改良型移動電話プロトコル(「AMPS」)、時分割多元接続(「TDMA」)、符号分割多元接続(「CDMA」)、移動体通信用グローバルシステム(global system for mobile communication)(「GSM(登録商標)」)、汎用パケット無線サービス(general packet radio services)(「GPRS」)、またはユニバーサル移動体通信システム(universal mobile telecommunications system)(「UMTS」)を含む、モバイルデバイスの間で通信するために使用される任意の1つのプロトコルまたは複数のプロトコルを使用するモバイル電話ネットワークを含む可能性がある。異なる種類のデータが、異なるプロトコルによって送信されてもよく、または同じ種類のデータが、異なるプロトコルによって送信されてもよい。
【００１８】
システム100は、少なくとも1つのデータ処理システム102を含み得る。データ処理システム102は、ネットワーク105を介して、たとえば、コンピューティングデバイス104、コンテンツプロバイダコンピューティングデバイス106(コンテンツプロバイダ106)、または第三者デバイス146(第三者146)と通信するためのプロセッサを有するコンピューティングデバイスなどの少なくとも1つの論理デバイスを含み得る。データ処理システム102は、少なくとも1つの計算リソース、サーバ、プロセッサ、またはメモリを含み得る。たとえば、データ処理システム102は、少なくとも1つのデータセンターに置かれた複数の計算リソースまたはサーバを含み得る。データ処理システム102は、複数の論理的にグループ分けされたサーバを含み、分散型コンピューティング技術を促進することができる。サーバの論理的グループは、データセンター、サーバファーム、またはマシンファームと呼ばれる場合がある。また、サーバは、地理的に分散され得る。データセンターまたはマシンファームは、単一のエンティティとして運用されてもよく、またはマシンファームは、複数のマシンファームを含み得る。各マシンファーム内のサーバは、異種である可能性がある--サーバまたはマシンのうちの1つまたは複数が、1つまたは複数の種類のオペレーティングシステムプラットフォームに応じて動作することができる。
【００１９】
マシンファーム内のサーバは、関連するストレージシステムと一緒に高密度ラックシステムに収容され、エンタープライズデータセンターに置かれ得る。たとえば、このようにしてサーバをまとめることは、サーバおよび高性能ストレージシステムを局所的な高性能ネットワーク上に置くことによってシステムの管理の容易性、データセキュリティ、システムの物理的セキュリティ、およびシステムの性能を改善する可能性がある。サーバおよびストレージシステムを含み、それらを高度なシステム管理ツールに結合するデータ処理システム102のコンポーネントのすべてまたは一部の集中化は、電力および処理の要件を減らし、帯域幅の使用を削減する、サーバリソースのより効率的な使用を可能にする。
【００２０】
システム100は、少なくとも1つの第三者デバイス146を含むか、少なくとも1つの第三者デバイス146にアクセスするか、または別の方法で少なくとも1つの第三者デバイス146とインタラクションすることができる。第三者デバイス146は、ネットワーク105を介して、たとえば、コンピューティングデバイス104、データ処理システム102、またはコンテンツプロバイダ106と通信するためのプロセッサを有するコンピューティングデバイスなどの少なくとも1つの論理デバイスを含み得る。第三者デバイス146は、少なくとも1つの計算リソース、サーバ、プロセッサ、またはメモリを含み得る。たとえば、第三者デバイス146は、少なくとも1つのデータセンターに置かれた複数の計算リソースまたはサーバを含み得る。
【００２１】
コンテンツプロバイダデバイス106は、ローカルコンピューティングデバイス104によって表示するためのオーディオに基づくデジタルコンポーネントをオーディオ出力デジタルコンポーネントとして提供することができる。デジタルコンポーネントは、「タクシーを呼びましょうか。」と述べる音声に基づくメッセージなどの、物またはサービスの申し出を含み得る。たとえば、コンテンツプロバイダコンピューティングデバイス106は、音声に基づく問い合わせに応答して提供され得る一連のオーディオデジタルコンポーネントを記憶するためのメモリを含み得る。コンテンツプロバイダコンピューティングデバイス106は、オーディオに基づくデジタルコンポーネント(またはその他のデジタルコンポーネント)をデータ処理システム102に提供することもでき、データ処理システム102において、それらのオーディオに基づくデジタルコンポーネント(またはその他のデジタルコンポーネント)は、データリポジトリ124に記憶され得る。データ処理システム102は、オーディオデジタルコンポーネントを選択し、オーディオデジタルコンポーネントをローカルクライアントコンピューティングデバイス104に提供する(または提供するようにコンテンツプロバイダコンピューティングデバイス106に命令する)ことができる。オーディオに基づくデジタルコンポーネントは、オーディオのみであることができ、またはテキスト、画像、またはビデオデータと組み合わされることが可能である。
【００２２】
第三者デバイス146は、データ処理システム102を含むか、データ処理システム102とインターフェースを取るか、または別の方法でデータ処理システム102と通信することができる。第三者デバイス146は、ローカルコンピューティングデバイス104を含むか、ローカルコンピューティングデバイス104とインターフェースを取るか、または別の方法でローカルコンピューティングデバイス104と通信することができる。第三者デバイス146は、モバイルコンピューティングデバイス144を含むか、モバイルコンピューティングデバイス144とインターフェースを取るか、または別の方法でモバイルコンピューティングデバイス144と通信することができる。第三者デバイス146は、コンテンツプロバイダデバイス106を含むか、コンテンツプロバイダデバイス106とインターフェースを取るか、または別の方法でコンテンツプロバイダデバイス106と通信することができる。たとえば、第三者デバイス146は、ローカルコンピューティングデバイス104に関連する要求に対する応答を生成するために使用されるスタック形式のプロファイルデータ構造をデータ処理システム102に更新させるためにデータ処理システム102にプロファイルを提供することができる。第三者デバイス106は、ローカルコンピューティングデバイス104のための構成情報または設定を提供することができる。
【００２３】
ローカルコンピューティングデバイス104は、少なくとも1つのセンサ134、トランスデューサ136、オーディオドライバ138、もしくはプリプロセッサ140を含むか、少なくとも1つのセンサ134、トランスデューサ136、オーディオドライバ138、もしくはプリプロセッサ140とインターフェースを取るか、または別の方法で少なくとも1つのセンサ134、トランスデューサ136、オーディオドライバ138、もしくはプリプロセッサ140と通信することができる。ローカルコンピューティングデバイス104は、ライトインジケータ、発光ダイオード(「LED」)、有機発光ダイオード(「OLED」)、または視覚的もしくは光学的出力を提供するように構成されたその他の視覚的インジケータなどの光源148を含み得る。センサ134は、たとえば、環境光センサ、近接センサ、温度センサ、加速度計、ジャイロスコープ、モーションディテクタ、GPSセンサ、位置センサ、マイクロフォン、またはタッチセンサを含み得る。トランスデューサ136は、スピーカまたはマイクロフォンを含み得る。オーディオドライバ138は、ハードウェアトランスデューサ136にソフトウェアインターフェースを提供することができる。オーディオドライバは、対応する音響波または音波を生成するようにトランスデューサ136を制御するためにデータ処理システム102によって提供されるオーディオファイルまたはその他の命令を実行することができる。プリプロセッサ140は、キーワードを検出し、キーワードに基づいてアクションを実行するように構成されたハードウェアを有する処理ユニットを含み得る。プリプロセッサ140は、さらなる処理のためにデータ処理システム102に語を送信する前に1つまたは複数の語をフィルタリングして取り除くかまたは語を修正することができる。プリプロセッサ140は、マイクロフォンによって検出されたアナログオーディオ信号をデジタルオーディオ信号に変換し、デジタルオーディオ信号を運ぶ1つまたは複数のデータパケットをネットワーク105を介してデータ処理システム102に送信することができる。場合によっては、プリプロセッサ140は、そのような送信を実行するための命令を検出したことに応答して入力オーディオ信号の一部またはすべてを運ぶデータパケットを送信することができる。命令は、
たとえば、入力オーディオ信号を含むデータパケットをデータ処理システム102に送信するためのトリガキーワードまたはその他のキーワードまたは承認を含み得る。
【００２４】
ローカルクライアントコンピューティングデバイス104は、(センサ134を介して)音声問い合わせをローカルクライアントコンピューティングデバイス104にオーディオ入力として入力し、トランスデューサ136(たとえばスピーカ)から出力される、データ処理システム102(またはコンテンツプロバイダコンピューティングデバイス106またはサービスプロバイダコンピューティングデバイス108)からローカルクライアントコンピューティングデバイス104に提供され得るコンピュータによって生成された音声の形態のオーディオ出力を受け取るエンドユーザに関連付けられ得る。コンピュータによって生成された音声は、実際の人からの録音またはコンピュータによって生成された言葉を含み得る。
【００２５】
データリポジトリ124は、1つまたは複数のローカルまたは分散型データベースを含むことができ、データベース管理システムを含むことができる。データリポジトリ124は、コンピュータデータストレージまたはメモリを含むことができ、データの中でもとりわけ、1つもしくは複数のパラメータ126、1つもしくは複数のポリシー128、コンテンツデータ130、シグネチャおよびアカウント132、またはプロファイルスタック142を記憶することができる。パラメータ126、ポリシー128、およびシグネチャ132、またはプロファイルスタック142は、ローカルクライアントコンピューティングデバイス104とデータ処理システム102(または第三者デバイス146)との間の音声に基づくセッションについての規則などの情報を含み得る。コンテンツデータ130は、オーディオ出力または関連するメタデータに関するデジタルコンポーネントと、ローカルクライアントコンピューティングデバイス104との1つまたは複数の通信セッションの一部である可能性がある入力オーディオメッセージとを含み得る。
【００２６】
データ処理システム102は、少なくとも1つの計算リソースまたはサーバを有するコンテンツ配置システムを含み得る。データ処理システム102は、少なくとも1つのインターフェース110を含むか、少なくとも1つのインターフェース110とインターフェースを取るか、または別の方法で少なくとも1つのインターフェース110と通信することができる。データ処理システム102は、少なくとも1つの自然言語プロセッサコンポーネント112を含むか、少なくとも1つの自然言語プロセッサコンポーネント112とインターフェースを取るか、または別の方法で少なくとも1つの自然言語プロセッサコンポーネント112と通信することができる。データ処理システム102は、少なくとも1つのスタック作成エンジンコンポーネント114を含むか、少なくとも1つのスタック作成エンジンコンポーネント114とインターフェースを取るか、または別の方法で少なくとも1つのスタック作成エンジンコンポーネント114と通信することができる。データ処理システム102は、少なくともダイレクトアクションアプリケーションプログラミングインターフェース(「API」)116を含むか、少なくとも1つのダイレクトアクションAPI 116とインターフェースを取るか、または別の方法で少なくとも1つのダイレクトアクションAPI 116と通信することができる。データ処理システム102は、少なくとも1つのコンテンツセレクタコンポーネント118を含むか、少なくとも1つのコンテンツセレクタコンポーネント118とインターフェースを取るか、または別の方法で少なくとも1つのコンテンツセレクタコンポーネント118と通信することができる。データ処理システム102は、少なくとも1つの話者認識コンポーネント120を含むか、少なくとも1つの話者認識コンポーネント120とインターフェースを取るか、または別の方法で少なくとも1つの話者認識コンポーネント120と通信することができる。データ処理システム102は、少なくとも1つのデータリポジトリ124を含むか、少なくとも1つのデータリポジトリ124とインターフェースを取るか、または別の方法で少なくとも1つのデータリポジトリ124と通信することができる。少なくとも1つのデータリポジトリ124は、パラメータ126、ポリシー128、コンテンツデータ130、シグネチャ132、またはプロファイルスタック142を1つまたは複数のデータ構造またはデータベースに含むかまたは記憶することができる。パラメータ126は、たとえば、閾値、距離、時間間隔、継続時間、スコア、または重みを含み得る。コンテンツデータ130は、たとえば、コンテンツキャンペーン情報、コンテンツグループ、コンテンツ選択基準、デジタルコンポーネントオブジェクト、あるいはコンテンツの選択を容易にするためにコンテンツプロバイダ106によって提供されるかまたはデータ処理システムによって取得されるかもしくは決定されるその他の情報を含み得る。コンテンツデータ130は、たとえば、コンテンツキャンペーンの過去の成果を含み得る。ポリシー128は、たとえば、ローカルコンピューティングデバイス104において特定の種類のアクションまたはコンテンツ配信を許可またはブロックするためのポリシーを含み得る。シグネチャ132は、音響またはオーディオシグネチャを含み得る。シグネチャ132は、縮約されたデジタルサマリ(digital summary)を含み得る音響フィンガープリント、オーディオ���ンプルを特定するかまたはオーディオデータベース内の同様のアイテムの位置を迅速に特定するために使用され得る、オーディオ信号から確定的に(deterministically)生成されたフィンガープリントを指す可能性がある。シグネチャ132は、話者認識コンポーネント120によってプロファイルを特定することを容易にするためのデータを含み得る。プロファイルスタックデータ構造142は、レイヤ形式で積み重ねられるか、スタック形式で積み重ねられるか、または合併され、ローカルコンピューティングデバイス104において入力オーディオ信号を処理するために適用される1つまたは複数のプロファイルを含み得る。
【００２７】
インターフェース110、自然言語プロセッサコンポーネント112、スタック作成エンジンコンポーネント114、ダイレクトアクションAPI 116、コンテンツセレクタコンポーネント118、または話者認識コンポーネント120は、それぞれ、少なくとも1つの処理ユニットもしくはプログラミング可能な論理アレーエンジンなどのその他の論理デバイス、またはデータベースリポジトリもしくはデータベース124と通信するように構成されたモジュールを含み得る。インターフェース110、自然言語プロセッサコンポーネント112、スタック作成エンジンコンポーネント114、ダイレクトアクションAPI 116、コンテンツセレクタコンポーネント118、または話者認識コンポーネント120、およびデータリポジトリ124は、別々のコンポーネント、単一のコンポーネント、またはデータ処理システム102の一部である可能性がある。システム100およびデータ処理システム102などのそのコンポーネントは、1つまたは複数のプロセッサ、論理デバイス、または回路などのハードウェア要素を含み得る。
【００２８】
データ処理システム102は、複数のコンピューティングデバイス104に関連する匿名のコンピュータネットワーク活動情報を取得することができる。ローカルコンピューティングデバイス104またはモバイルコンピューティングデバイス144のユーザは、ローカルコンピューティングデバイス104またはモバイルコンピューティングデバイス144に対応するネットワーク活動情報を取得することをデータ処理システム102に肯定的に認可することが可能である。たとえば、データ処理システム102は、1つまたは複数の種類のネットワーク活動情報を取得することに同意するようにコンピューティングデバイス104のユーザに促すことができる。モバイルコンピューティングデバイス144またはローカルコンピューティングデバイス104のユーザの識別情報は、匿名のままであることができ、コンピューティングデバイス104または144は、一意識別子(たとえば、データ処理システムまたはコンピューティングデバイスのユーザによって提供されるユーザまたはコンピューティングデバイスの一意識別子)に関連付けられ得る。データ処理システムは、各観測値(observation)を対応する一意識別子と関連付けることができる。
【００２９】
コンテンツプロバイダ106は、電子コンテンツキャンペーンを確立することができる。電子コンテンツキャンペーンは、データリポジトリ124内にコンテンツデータ130として記憶され得る。電子コンテンツキャンペーンは、共通のテーマに対応する1つまたは複数のコンテンツグループを指す可能性がある。コンテンツキャンペーンは、コンテンツグループ、デジタルコンポーネントデータオブジェクト、およびコンテンツ選択基準を含む階層的なデータ構造を含み得る。コンテンツキャンペーンを作成するために、コンテンツプロバイダ106は、コンテンツキャンペーンのキャンペーンレベルパラメータに関する値を指定することができる。キャンペーンレベルパラメータは、たとえば、キャンペーン名、デジタルコンポーネントオブジェクトを配置するための好ましいコンテンツネットワーク、コンテンツキャンペーンのために使用されるリソースの値、コンテンツキャンペーンの開始日および終了日、コンテンツキャンペーンの継続時間、デジタルコンポーネントオブジェクトの配置のためのスケジュール、言語、地理的位置、デジタルコンポーネントオブジェクトを提供すべきコンピューティングデバイスの種類を含み得る。場合によっては、インプレッションが、デジタルコンポーネントオブジェクトがそのソース(たとえば、データ処理システム102またはコンテンツプロバイダ106)からいつフェッチされるかを指す可能性があり、数えられ得る。場合によっては、クリック詐欺の可能性があるため、インプレッションとして、ロボットの活動がフィルタリングされ、除外され得る。したがって、場合によっては、インプレッションは、ロボットの活動およびエラーコードからフィルタリングされ、コンピューティングデバイス104上に表示するためにデジタルコンポーネントオブジェクトをレンダリングする機会にできるだけ近い時点で記録される、ブラウザからのページ要求に対するウェブサーバからの応答の測定値を指す可能性がある。場合によっては、インプレッションは、可視インプレッションまたは可聴インプレッションを指す可能性があり、たとえば、デジタルコンポーネントオブジェクトは、ローカルクライアントコンピューティングデバイス104のディスプレイデバイス上で少なくとも部分的に(たとえば、20%、30%、40%、50%、60%、70%、もしくはそれ以上)可視であるか、またはコンピューティングデバイス104のスピーカ136を介して少なくとも部分的に(たとえば、20%、30%、40%、50%、60%、70%、もしくはそれ以上)可聴である。クリックまたは選択は、可聴インプレッションに対する音声応答、マウスクリック、タッチインタラクション、ジェスチャ、振り動かし、オーディオインタラクション、またはキーボードクリックなどのデジタルコンポーネントオブジェクトとのユーザインタラクションを指す可能性がある。コンバージョンは、ユーザがデジタルコンポーネントオブジェクトに関連して所望のアクションを行うこと、たとえば、製品もしくはサービスを購入すること、調査を完了すること、デジタルコンポーネントに対応する物理的な店舗を訪れること、または電子取引を完了することを指すことができる。
【００３０】
コンテンツプロバイダ106は、コンテンツキャンペーンに関する1つまたは複数のコンテンツグループをさらに確立することができる。コンテンツグループは、1つまたは複数のデジタルコンポーネントオブジェクトと、キーワード、単語、語、語句、地理的位置、コンピューティングデバイスの種類、時刻、関心、話題、または垂直位置などの対応するコンテンツ選択基準とを含む。同じコンテンツキャンペーンの下のコンテンツグループは、同じキャンペーンレベルパラメータを共有することが可能であるが、キーワード、(たとえば、主コンテンツに除外キーワードが存在する場合にデジタルコンポーネントの配置をブロックする)除外キーワード、キーワードの入札単価(bid)、または入札単価もしくはコンテンツキャンペーンに関連するパラメータなどの特定のコンテンツグループレベルパラメータに関するカスタマイズされた仕様を有する可能性がある。
【００３１】
新しいコンテンツグループを作成するために、コンテンツプロバイダは、コンテンツグループのコンテンツグループレベルパラメータの値を与えることができる。コンテンツグループレベルパラメータは、たとえば、コンテンツグループ名もしくはコンテンツグループのテーマ、および異なるコンテンツ配置機会(たとえば、自動配置もしくは管理された配置)または結果(たとえば、クリック、インプレッション、もしくはコンバージョン)の入札単価を含む。コンテンツグループ名またはコンテンツグループのテーマは、コンテンツグループのデジタルコンポーネントオブジェクトが表示するために選択されるべきである話題または主題を捕捉するためにコンテンツプロバイダ106が使用することができる1つまたは複数の語である可能性がある。たとえば、自動車の特約販売店は、その特約販売店が扱う車両の各ブランドのために異なるコンテンツグループを作成することができ、その特約販売店が扱う各モデルのために異なるコンテンツグループをさらに作成してもよい。自動車の特約販売店が使用することができるコンテンツグループのテーマの例は、たとえば、「Aスポーツカーを製造する」、「Bスポーツカーを製造する」、「Cセダンを製造する」、「Cトラックを製造する」、「Cハイブリッドを製造する」、または「Dハイブリッドを製造する」を含む。例示的なコンテンツキャンペーンのテーマは、「ハイブリッド」であり、たとえば、「Cハイブリッドを製造する」と「Dハイブリッドを製造する」との両方のためのコンテンツグループを含み得る。
【００３２】
コンテンツグループ106は、各コンテンツグループに1つまたは複数のキーワードおよびデジタルコンポーネントオブジェクトを提供することができる。キーワードは、デジタルコンポーネントオブジェクトに関連するかまたはデジタルコンポーネントオブジェクトによって特定される製品またはサービスに関連する語を含み得る。キーワードは、1つまたは複数の語または語句を含み得る。たとえば、コンテンツグループまたはコンテンツキャンペーンに関するキーワードとして自動車の特約販売店は、「スポーツカー」、「V-6エンジン」、「4輪駆動」、「燃費」を含み得る。場合によっては、除外キーワードが、特定の語またはキーワードに対するコンテンツ配置を避けるか、防止するか、ブロックするか、または無効にするためにコンテンツプロバイダによって指定され得る。コンテンツプロバイダは、デジタルコンポーネントオブジェクトを選択するために使用される、完全一致(exact match)、フレーズ一致、または部分一致(broad match)などのマッチングの種類を指定することができる。
【００３３】
コンテンツプロバイダ106は、コンテンツプロバイダ106によって提供されるデジタルコンポーネントオブジェクトを選択するためにデータ処理システム102によって使用される1つまたは複数のキーワードを提供することができる。コンテンツプロバイダ106は、入札する1つまたは複数のキーワードを特定し、様々なキーワードの入札単価の額をさらに与えることができる。コンテンツプロバイダ106は、デジタルコンポーネントオブジェクトを選択するためにデータ処理システム102によって使用される追加的なコンテンツ選択基準を与えることができる。複数のコンテンツプロバイダ106は、同じまたは異なるキーワードに入札することができ、データ処理システム102は、電子的メッセージのキーワードの指示を受け取ったことに応答してコンテンツ選択プロセスまたは広告オークションを実行することができる。
【００３４】
コンテンツプロバイダ106は、データ処理システム102による選択のために1つまたは複数のデジタルコンポーネントオブジェクトを提供することができる。(たとえば、コンテンツセレクタコンポーネント118を介して)データ処理システム102は、リソース割り当て、コンテンツスケジュール、最大入札単価、キーワード、およびコンテンツグループに関して指定されたその他の選択基準に一致するコンテンツ配置機会が利用可能になるときにデジタルコンポーネントオブジェクトを選択することができる。音声デジタルコンポーネント、オーディオデジタルコンポーネント、テキストデジタルコンポーネント、画像デジタルコンポーネント、ビデオデジタルコンポーネント、マルチメディアデジタルコンポーネント、またはデジタルコンポーネントリンクなどの異なる種類のデジタルコンポーネントオブジェクトが、コンテンツグループに含まれ得る。デジタルコンポーネントオブジェクト(またはデジタルコンポーネント)は、たとえば、コンテンツアイテム、オンラインドキュメント、オーディオ、画像、ビデオ、マルチメディアコンテンツ、またはスポンサー付きコンテンツを含み得る。デジタルコンポーネントを選択すると、データ処理システム102は、コンピューティングデバイス104またはコンピューティングデバイス104のディスプレイデバイス上でレンダリングするためにデジタルコンポーネントオブジェクトを送信することができる。レンダリングは、ディスプレイデバイス上にデジタルコンポーネントを表示すること、またはコンピューティングデバイス104のスピーカによってデジタルコンポーネントを再生することを含み得る。データ処理システム102は、デジタルコンポーネントオブジェクトをレンダリングするためにコンピューティングデバイス104に命令を与えることができる。データ処理システム102は、オーディオ信号または音響波を生成するようにコンピューティングデバイス104またはコンピューティングデバイス104のオーディオドライバ138に命令することができる。
【００３５】
データ処理システム102は、たとえばデータパケットを使用して、情報を受信および送信するように設計されたか、構成されたか、構築されたか、または動作可能であるインターフェースコンポーネント110を含み得る。インターフェース110は、ネットワークプロトコルなどの1つまたは複数のプロトコルを使用して情報を受信および送信することができる。インターフェース110は、ハードウェアインターフェース、ソフトウェアインターフェース、有線インターフェース、またはワイヤレスインターフェースを含み得る。インターフェース110は、あるフォーマットから別のフォーマットにデータを変換するかまたはフォーマットすることを容易にすることができる。たとえば、インターフェース110は、ソフトウェアコンポーネントなどの様々なコンポーネントの間で通信するための定義を含むアプリケーションプログラミングインターフェースを含み得る。インターフェース110は、ネットワーク105を介してローカルコンピューティングデバイス104、コンテンツプロバイダデバイス106、第三者デバイス146、またはモバイルコンピューティングデバイス144のうちの1つまたは複数と通信することができる。
【００３６】
データ処理システム102は、入力オーディオ信号をデータ処理システム102のインターフェース110に通信し、出力オーディオ信号をレンダリングするようにローカルクライアントコンピューティングデバイスのコンポーネントを駆動するためのアプリなどの、ローカルクライアントコンピューティングデバイス104にインストールされたアプリケーション、スクリプト、またはプログラムとインターフェースを取ることができる。データ処理システム102は、オーディオ入力信号を含むかまたは特定するデータパケットまたはその他の信号を受信することができる。
【００３７】
データ処理システム102は、ローカルコンピューティングデバイス104によって検出されたオーディオ入力信号を受信し、音響シグネチャを特定し、音響シグネチャに対応する電子アカウントを特定するように設計され、構築され、動作可能である話者認識コンポーネント120を含み得る。話者認識コンポーネント120は、ローカルコンピューティングデバイス104のセンサ134またはトランスデューサ136によって検出された入力オーディオ信号を含むデータパケットをインターフェース110を介して受信することができる。話者認識コンポーネント120は、入力オーディオ信号から音響シグネチャを特定することができる。話者認識コンポーネント120は、データリポジトリ124内でのルックアップに基づいて音響シグネチャに対応する電子アカウントを特定することができる。
【００３８】
話者認識コンポーネント120は、入力オーディオ信号を運ぶペイロードを有するデータパケットを受信することができる。話者認識コンポーネント120は、オーディオの特定の周波数を取り除くために入力オーディオ信号に対して事前フィルタリングまたは前処理を実行することができる。事前フィルタリングは、低域通過フィルタ、高域通過フィルタ、または帯域通過フィルタなどのフィルタを含み得る。フィルタは、周波数領域において適用され得る。フィルタは、デジタル信号処理技術を使用して適用され得る。フィルタは、人の発話の通常の周波数の外側にある周波数を除去しながら人の声または人の発話に対応する周波数を維持するように構成され得る。たとえば、帯域通過フィルタが、第1の閾値(たとえば、70Hz、75Hz、80Hz、85Hz、90Hz、95Hz、100Hz、または105Hz)未満の周波数および第2の閾値(たとえば、200Hz、205Hz、210Hz、225Hz、235Hz、245Hz、または255Hz)を超える周波数を取り除くように構成され得る。帯域通過フィルタを適用することは、下流の処理における計算リソースの利用を減らすことができる。場合によっては、ローカルコンピューティングデバイス104のプリプロセッサ140が、データ処理システム102に入力オーディオ信号を送信する前に帯域通過フィルタを適用することができ、それによって、ネットワーク帯域幅の利用を削減する。しかし、ローカルコンピューティングデバイス104が利用可能な計算リソースに基づいて、データ処理システム102がフィルタリングを実行することを可能にするためにデータ処理システム102に入力オーディオ信号を提供することがより効率的である可能性がある。
【００３９】
話者認識コンポーネント120は、話者に対応する電子アカウントを特定することを容易にするために追加的な前処理または事前フィルタリング技術を適用することができる。たとえば、話者認識コンポーネント120は、話者認識を邪魔する可能性がある環境雑音レベルを低減するために雑音低減技術を適用することができる。雑音低減技術は、話者認識の正確性および速度を改善することができ、それによって、電子アカウントを特定する際のデータ処理システム102の性能を改善する。
【００４０】
話者認識コンポーネント120は、データリポジトリ124に記憶されたシグネチャ132にアクセスすることができる。話者認識コンポーネント120は、シグネチャを特定するためにフィルタリングされた入力オーディオ信号を分析し、電子アカウントを特定するためにシグネチャを使用することができる。したがって、話者認識コンポーネント120は、入力オーディオ信号のシグネチャに対応する電子アカウントを特定するために話者認識または音声認識を実行することができる。
【００４１】
話者認識コンポーネント120は、パターン認識などの1つまたは複数の話者認識技術を用いて構成され得る。話者認識コンポーネント120は、テキストに依存しない話者認識プロセスを用いて構成され得る。テキストに依存しない話者認識プロセスにおいては、電子アカウントを確立するために使用されるテキストが、後で話者を認識するために使用されるテキストと異なることができる。
【００４２】
たとえば、話者認識コンポーネント120は、入力された発話ソースの間で異なる入力オーディオ信号の音響的特徴を特定することができる。音響的特徴は、一意の入力された発話ソースに対応する可能性がある物理的なまたは学習されたパターンを反映することができる。音響的特徴は、たとえば、音声のピッチまたは発話のスタイルを含み得る。シグネチャを特定し、処理し、記憶するために使用される技術は、周波数推定(たとえば、瞬時基本周波数(instantaneous fundamental frequency)、もしくは離散エネルギー分離アルゴリズム(discrete energy separation algorithm))、隠れマルコフモデル(たとえば、将来の状態が現在の状態に依存し、モデル化されているシステムが観測されていない状態を有するランダムに変化するシステムをモデル化するために使用される確率モデル)、混合ガウスモデル(たとえば、ガウス成分密度(Gaussian component density)の加重和として表されるパラメトリック確率密度関数)、パターンマッチングアルゴリズム、ニューラルネットワーク、行列表現、ベクトル量子化(たとえば、プロトタイプベクトルの分布によって確率密度関数のモデル化を可能にする信号処理からの量子化技術)、または決定木を含み得る。さらなる技術は、コホートモデルおよび世界モデル(world model)などの非話者技術(anti-speaker technique)を含み得る。話者認識コンポーネント120は、パターン認識を容易にするためまたは話者の特徴に適合するために機械学習モデルを用いて構成され得る。
【００４３】
入力オーディオ信号内の音響シグネチャを特定すると、話者認識コンポーネント120は、データリポジトリ124またはシグネチャデータ構造132においてルックアップを実行することができる。シグネチャデータ構造132に記憶されたシグネチャは、電子アカウントの識別子にマッピングされ得る。話者認識コンポーネント120は、入力オーディオのシグネチャに対応する電子アカウントを取り出すために入力オーディオ信号内で特定されたシグネチャを使用してシグネチャデータ構造132においてルックアップを実行することができる。
【００４４】
場合によっては、話者認識コンポーネント120は、ルックアップに基づいて、音響シグネチャに対応する電子アカウントがないと判定する可能性がある。たとえば、シグネチャは、シグネチャデータ構造132に記憶されていない可能性があり、またはシグネチャに関する電子アカウントが、まだ確立されていない可能性がある。ルックアップは、ヌル値または空集合を返す場合がある。シグネチャまたは電子アカウントがないと判定したことに応答して、話者認識コンポーネント120は、データリポジトリ内に電子アカウントを作成することができる。話者認識コンポーネント120は、入力オーディオ信号から構築された新しいシグネチャおよび対応する電子アカウントを含むようにシグネチャデータ構造132を更新することができる。話者認識コンポーネント120は、電子アカウントを新しい音響シグネチャにマッピングすることができる。
【００４５】
データ処理システム102は、セッションを確立し、セッション中に使用するために1つまたは複数のプロファイルを組み合わせるように設計され、構築され、動作可能なスタック作成エンジンコンポーネント114を含むか、そのようなスタック作成エンジンコンポーネント114とインターフェースを取るか、または別の方法でそのようなスタック作成エンジンコンポーネント114にアクセスすることができる。スタック作成エンジンコンポーネント114は、話者認識コンポーネント120から電子アカウントの指示を受信することができる。スタック作成エンジンコンポーネント114は、シグネチャおよびアカウントデータ構造132から電子アカウントに関連する情報を取り出すことができる。電子アカウントは、入力オーディオ問い合わせを処理し、応答を生成することを容易にする情報を記憶することができる。電子アカウントは、入力オーディオ信号を与えた話者に対応するプロファイルを含み得る。プロファイルは、ラベル、規則、好み、識別子、サブスクリプション、アカウントの設定、またはデバイス構成の設定を含み得る。プロファイルは、電子アカウントに関連するモバイルコンピューティングデバイス144または電子アカウントに関連するその他のネットワークに接続されたデバイスなどのその他の遠隔のデバイスとインタラクションするための構成情報を含み得る。
【００４６】
たとえば、電子アカウントは、ネットワーク105とインターフェースを取るように構成されたサーモスタットなどのネットワークに接続されたデバイスに関するラベルを含み得る。サーモスタットは、電子アカウントに対応する話者に関連する第1の場所(たとえば、住居)に置かれ得る。プロファイル内に、サーモスタットは、「居間」サーモスタットというラベルを有する可能性がある。データ処理システム102が入力された問い合わせ「居間の温度は何度ですか」または「居間の温度を21度に設定せよ」を受信するとき、データ処理システム102は、電子アカウントがラベル「居間」を有するサーモスタットにリンクされることをプロファイルによって判定し、それから、「居間」とラベル付けされたサーモスタットに対応するアクションデータ構造を生成するためにラベルをダイレクトアクションAPI 116に与えることができる。
【００４７】
しかし、入力オーディオ信号を検出するローカルコンピューティングデバイス104は、第1の場所に置かれていない場合がある。むしろ、ローカルコンピューティングデバイス104は、第1の場所と物理的におよび地理的に分かれている第2の場所に置かれ得る。第2の場所は、第三者デバイスに関連する第三者エンティティによって管理されるか、運用されるか、制御されるか、または別の方法で維持される場所である可能性がある。第2の場所は、ホテルの部屋、打ち合わせ室、会議室、小売店、レンタル車両、客室、ホステル、または寮などの安全でない場所、公共の場所、または一時的な場所である可能性がある。
【００４８】
公共の場所または安全でない場所を維持する第三者デバイス146は、ローカルコンピューティングデバイス104を確立し、維持することができる。第三者デバイス146は、ローカルコンピューティングデバイス104のためのベースラインプロファイルまたはデフォルトプロファイルを確立することができる。第三者デバイス146は、第1のプロファイルを提供することができる。第1のプロファイルは、ベースラインプロファイル、デフォルトプロファイル、または第三者プロファイルである可能性がある。第三者デバイス146は、第1のプロファイルを確立することができる。第1のプロファイルは、第三者デバイス146によって確立された1つまたは複数のポリシーまたは規則を含み得る。たとえば、第三者デバイス146は、その他の種類の活動またはアクションをより重く重み付けしながら特定の種類の活動またはアクションをブロックするかまたは防止するポリシー、規則、または構成の設定を提供することができる。ポリシーは、第1のプロファイルに記憶され得る。
【００４９】
第1のプロファイルは、インターネットに接続されたデバイスのラベルを含み得る。第1のプロファイル内のラベルは、第三者デバイス146によって確立されるかまたは提供され得る。たとえば、ラベルは、インターネットに接続されたデバイス(たとえば、インターネットに接続されたサーモスタット、インターネットに接続された光源、インターネットに接続された煙警報器、インターネットに接続された家電製品、インターネットに接続されたディスプレイ、インターネットに接続されたテレビ、またはインターネットに接続されたスピーカ)に対応することが可能である。これらのインターネットに接続されたデバイスのラベルは、第三者エンティティによって与えられ得る。たとえば、ラベルは、「ホテルのサーモスタット」または「ブランドAのホテルのサーモスタット」である可能性がある。
【００５０】
第三者デバイス146は、データ処理システム102に、ローカルコンピューティングデバイス104に関連するセッションのために開始されたプロファイルスタックに第1のプロファイルをプッシュさせるためにデータ処理システム102に第1のプロファイルを提供することができる。スタック作成エンジンコンポーネント114は、セッションのために確立されたプロファイルスタック内の第1のプロファイルレイヤに第1のプロファイルを記憶するか、置くか、またはスタックすることができる。プロファイルスタックデータ構造は、第三者エンティティのデバイス(たとえば、第三者デバイス146)によって構成された1つまたは複数のポリシーを有する第1のプロファイルレイヤを含み得る。
【００５１】
スタック作成エンジンコンポーネント114は、電子アカウントの特定に応じてセッションを確立することができる。セッションは、通信セッション、デジタルアシスタントセッション、ダイレクトアクションセッション、コンテンツ選択セッション、デジタルコンポーネント選択セッション、またはプロファイルセッションを指す可能性がある。セッションは、継続時間を有する可能性がある。セッションは、終了イベントまたは条件が発生するまで継続することができる。終了イベントは、セッションを終了させることができる。終了したとき、セッションの状態が記憶され得る。プロファイルスタック内のプロファイルは、セッションが終了すると更新され得る。
【００５２】
スタック作成エンジンコンポーネント114は、セッションにおいて使用するためにプロファイルスタックデータ構造を確立することができる。スタック作成エンジンコンポーネント114は、第三者デバイス146によって提供された第1のプロファイルを含むようにプロファイルスタックデータ構造を初期化することができる。
【００５３】
スタック作成エンジンコンポーネント114は、プロファイルスタックの第1のレイヤに第1のプロファイル(たとえば、ローカルコンピューティングデバイス104のためのデフォルトプロファイル)をプッシュすることができる。たとえば、スタック作成エンジンコンポーネント114は、ローカルコンピューティングデバイス104を維持するか、所有するか、管理するか、または運用する同じ第三者に関連付けられる第三者デバイス146によってデフォルトプロファイルが提供されると判定する可能性がある。
【００５４】
そして、スタック作成エンジンコンポーネント114は、電子アカウントおよびシグネチャに対応する第2のプロファイルを取り出すことができる。スタック作成エンジンコンポーネント114は、プロファイルデータ構造に第2のプロファイルをプッシュすることができる。たとえば、第1のプロファイルレイヤが、第1のプロファイルを含むことができ、第2のプロファイルレイヤが、第2のプロファイルを含むことができる。
【００５５】
スタック作成エンジンコンポーネント114は、第1のプロファイルレイヤおよび第2のプロファイルレイヤを含むプロファイルスタックを、さらに処理するためにデータ処理システム102の1つまたは複数のコンポーネントに提供することができる。場合によっては、スタック作成エンジンコンポーネント114は、単一のプロファイルレイヤを作成するために第1のプロファイルレイヤと第2のプロファイルレイヤとを併合させるか、合併するか、または別の方法で組み合わせることができる。場合によっては、スタック作成エンジンコンポーネント114は、2つのプロファイルレイヤを有するプロファイルスタックを、さらに処理するためにダイレクトアクションAPI 116またはコンテンツセレクタコンポーネント118に提供することができる。
【００５６】
第2のプロファイルレイヤおよび第1のプロファイルレイヤを有するプロファイルスタックデータ構造を確立することは、第1のプロファイルレイヤおよび第2のプロファイルレイヤにおいて関連付けられるまたは示される1つまたは複数のインターネットに接続されたデバイス、セッション、インターフェース、または第三者デバイスと結合することを含み得る。たとえば、第1のプロファイルレイヤは、図2の安全な公共の場202に示されるインターネットに接続されたデバイス204、206、208、210、および212を含むことができ、第2のプロファイルレイヤは、図4の私的な場402に示されるインターネットに接続されたデバイス204、206、208、210、および212を含むことができる。公共の場202にあるインターネットに接続されたデバイスは、私的な場402にあるインターネットに接続されたデバイスと比較して異なる識別子を有する可能性がある。データ処理システム102は、プロファイルスタックデータ構造を確立すると、ステータスチェックを実行するかまたは準備完了(readiness)状態になるためにインターネットに接続されたデバイスの各々にpingするか、ポーリングするか、または別の方法で問い合わせることができる。
【００５７】
データ処理システム102は、ローカルコンピューティングデバイス104から入力オーディオ信号を介して受信された問い合わせまたはアクションを処理するためにプロファイルスタックを使用することができる。データ処理システム102は、入力オーディオ信号内の問い合わせを特定するためにNLPコンポーネント112を使用することができ、そして、ダイレクトアクションAPI 116は、プロファイルスタックに従い、準拠するアクションデータ構造を生成するために入力された問い合わせを処理するためにプロファイルスタックを使用することができる。
【００５８】
たとえば、データ処理システム102は、オーディオ信号を受信するかまたは取得し、オーディオ信号をパースするためにNLPコンポーネント112を実行するかまたは走らせることができる。たとえば、NLPコンポーネント112は、人とコンピュータとの間のインタラクションを提供することができる。NLPコンポーネント112は、自然言語を理解し、データ処理システム102が人間のまたは自然言語入力から意味を導出することを可能にするための技術を用いて構成され得る。NLPコンポーネント112は、統計的機械学習などの機械学習に基づく技術を含むかまたはそのような技術を用いて構成され得る。NLPコンポーネント112は、入力オーディオ信号をパースするために決定木、統計モデル、または確率モデルを利用することができる。NLPコンポーネント112は、たとえば、固有表現認識(たとえば、テキストのストリームが与えられたものとして、テキスト内のどのアイテムが人または場所などの適切な名前にマッピングされるか、およびそれぞれのそのような名前の種類が人、場所、または組織などのどれであるのかを決定すること)、自然言語生成(たとえば、コンピュータデータベースからの情報または意味的意図(semantic intent)を理解可能な人間の言語に変換すること)、自然言語理解(たとえば、テキストをコンピュータモジュールが操作することができる一階論理構造などのより形式的な表現に変換すること)、機械翻訳(たとえば、テキストをある人間の言語から別の人間の言語に自動的に翻訳すること)、形態素分割(たとえば、考慮されている言語の言葉の形態論または構造の複雑さに基づいて困難である可能性があるが、単語を個々の形態素に分け、形態素のクラスを特定すること)、質問応答(たとえば、特定的であるかまたは自由である可能性がある人間の言語の質問に対する答えを決定すること)、意味処理(たとえば、単語を特定し、特定された単語を同様の意味を有するその他の単語に関連付けるために、その単語の意味を符号化した後に行われることができる処理)などの機能を実行することができる。
【００５９】
NLPコンポーネント112は、入力信号を(たとえば、データリポジトリ124内の)オーディオ波形の記憶された代表的なセットと比較し、最も近い一致を選択することによってオーディオ入力信号を認識されたテキストに変換する。オーディオ波形のセットは、データリポジトリ124、またはデータ処理システム102がアクセス可能なその他のデータベースに記憶され得る。代表的な波形が、ユーザの大きなセット全体で生成され、それから、ユーザからの発話サンプルによって増強されてもよい。オーディオ信号が認識されたテキストに変換された後、NLPコンポーネント112は、たとえば、ユーザ全体にわたって訓練することによってまたは手動で指定することによって、データ処理システム102が提供することができるアクションと関連付けられる単語にテキストをマッチングする。
【００６０】
オーディオ入力信号は、ローカルクライアントコンピューティングデバイス104のセンサ134またはトランスデューサ136(たとえば、マイクロフォン)によって検出され得る。トランスデューサ136、オーディオドライバ138、またはその他のコンポーネントを介して、ローカルクライアントコンピューティングデバイス104は、(たとえば、ネットワーク105を介して)オーディオ入力信号をデータ処理システム102に提供することができ、データ処理システム102において、オーディオ入力信号は、(たとえば、インターフェース110によって)受信され、NLPコンポーネント112に提供されるか、またはデータリポジトリ124に記憶され得る。
【００６１】
NLPコンポーネント112は、入力オーディオ信号を取得することができる。入力オーディオ信号から、NLPコンポーネント112は、少なくとも1つの要求または要求に対応する少なくとも1つのトリガキーワードを特定することができる。要求は、入力オーディオ信号の意図または主題を示すことができる。トリガキーワードは、行われる見込みが大きいアクションの種類を示すことができる。たとえば、NLPコンポーネント112は、夜に食事会に参加し、映画を見るために家を出る少なくとも1つの要求を特定するために入力オーディオ信号をパースし得る。トリガキーワードは、行われるアクションを示す少なくとも1つの単語、語句、語根もしくは部分的な単語、または派生語を含み得る。たとえば、入力オーディオ信号からのトリガキーワード「go」または「to go to」は、輸送の必要性を示す可能性がある。この例において、入力オーディオ信号(または特定された要求)は、輸送の意図を直接表さないが、トリガキーワードが、輸送が要求によって示される少なくとも1つのその他のアクションの補助的なアクションであることを示す。
【００６２】
NLPコンポーネント112は、要求およびトリガキーワードを特定するか、判定するか、取り出すか、またはそれ以外の方法で取得するために入力オーディオ信号をパースすることができる。たとえば、NLPコンポーネント112は、トリガキーワードまたは要求を特定するために入力オーディオ信号に意味処理技術を適用することができる。NLPコンポーネント112は、第1のトリガキーワードおよび第2のトリガキーワードなどの1つまたは複数のトリガキーワードを含むトリガ語句を特定するために入力オーディオ信号に意味処理技術を適用することができる。たとえば、入力オーディオ信号は、文「I need someone to do my laundry and my dry cleaning.」を含み得る。NLPコンポーネント112は、トリガ語句「do my laundry」および「do my dry cleaning」を特定するために文を含むデータパケットに意味処理技術またはその他の自然言語処理技術を適用することができる。NLPコンポーネント112は、laundry(洗濯)およびdry cleaning(ドライクリーニング)などの複数のトリガキーワードをさらに特定し得る。たとえば、NLPコンポーネント112は、トリガ語句がトリガキーワードおよび第2のトリガキーワードを含むと判定する可能性がある。
【００６３】
NLPコンポーネント112は、トリガキーワードを特定するために入力オーディオ信号をフィルタリングすることができる。たとえば、入力オーディオ信号を運ぶデータパケットは、「It would be great if I could get someone that could help me go to the airport」を含む可能性があり、その場合、NLPコンポーネント112は、以下の通りの1つまたは複数の語、すなわち、「it」、「would」、「be」、「great」、「if」、「I」、「could」、「get」、「someone」、「that」、「could」、または「help」をフィルタリングして取り除くことができる。これらの語をフィルタリングして取り除くことによって、NLPコンポーネント112は、「go to the airport」などのトリガキーワードをより正確で信頼性高く特定し、これがタクシーまたは相乗りサービスの要求であると判定する可能性がある。
【００６４】
場合によっては、NLPコンポーネントは、入力オーディオ信号を運ぶデータパケットが1つまたは複数の要求を含むと判定し得る。たとえば、入力オーディオ信号は、文「I need someone to do my laundry and my dry cleaning.」を含み得る。NLPコンポーネント112は、これがランドリーサービスおよびドライクリーニングサービスの要求であると判定し得る。NLPコンポーネント112は、これがランドリーサービスとドライクリーニングサービスとの両方を提供することができるサービスプロバイダの単一の要求であると判定し得る。NLPコンポーネント112は、これが2つの要求、すなわち、ランドリーサービスを行うサービスプロバイダに対する第1の要求およびドライクリーニングサービスを提供するサービスプロバイダに対する第2の要求であると判定し得る。場合によっては、NLPコンポーネント112は、複数の判定された要求を単一の要求に組合せ、単一の要求を第三者デバイス146に送信することができる。場合によっては、NLPコンポーネント112は、個々の要求を別のサービスプロバイダデバイスに送信するか、または両方の要求を同じ第三者デバイス146に別々に送信する可能性がある。
【００６５】
データ処理システム102は、要求に応答してトリガキーワードに基づいてアクションデータ構造を生成するように設計され、構築されたダイレクトアクションAPI 116を含み得る。データ処理システム102のプロセッサは、カーシェアリングサービスの自動車などのサービスまたは製品を注文するために第三者デバイス146またはその他のサービスプロバイダに提供するデータ構造を生成するスクリプトを実行するためにダイレクトアクションAPI 116を呼び出すことができる。ダイレクトアクションAPI 116は、第三者デバイス146がカーシェアリングサービスの自動車を予約するなどの動作を実行することを可能にするために場所、時間、ユーザアカウント、物流、またはその他の情報を決定するために、データリポジトリ124からのデータと、ローカルクライアントコンピューティングデバイス104からのエンドユーザの同意とともに受信されたデータとを取得することができる。ダイレクトアクションAPI 116を使用して、データ処理システム102は、この例においてはカーシェアリングのピックアップ予約をすることによってコンバージョンを完了するために第三者デバイス146と通信することもできる。
【００６６】
ダイレクトアクションAPI 116は、セッションのためにスタック作成エンジンコンポーネント114によって構築されたプロファイルスタックを受信することができる。ダイレクトアクションAPI 116は、データ処理システム102によって決定されたようにエンドユーザの意図を満足するために指定されたアクションを実行するときにプロファイルスタックからの1つまたは複数のポリシーを適用することができる。その入力内で指定されたアクション、ならびにセッションのためにスタック作成エンジンコンポーネント114によって構築されたプロファイルスタック内のレイヤ形式で積み重ねられたプロファイルおよびポリシーに応じて、ダイレクトアクションAPI 116は、ユーザの要求を履行するために必要とされるパラメータを特定するコードまたはダイアログスクリプトを実行することができる。そのようなコードは、たとえば、データリポジトリ124内で、ホームオートメーションサービスまたは第三者サービスの名前などの追加的な情報をルックアップすることができ、または要求されたタクシーの意図される目的地などの質問をエンドユーザにするためにローカルクライアントコンピューティングデバイス104においてレンダリングするためのオーディオ出力を提供することができる。ダイレクトアクションAPI 116は、パラメータを決定することができ、情報をアクションデータ構造にパッケージングすることができ、そして、アクションデータ構造は、履行されるためにコンテンツセレクタコンポーネント118またはサービスプロバイダコンピューティングデバイス108などの別のコンポーネントに送信され得る。
【００６７】
ダイレクトアクションAPI 116は、アクションデータ構造を生成または構築するためにNLPコンポーネント112またはデータ処理システム102のその他のコンポーネントから命令またはコマンドを受信することができる。ダイレクトアクションAPI 116は、データリポジトリ124に記憶されたテンプレートリポジトリ122からのテンプレートを選択するためにアクションの種類を決定することができる。アクションの種類は、たとえば、サービス、製品、予約、またはチケットを含み得る。アクションの種類は、サービスまたは製品の種類をさらに含み得る。たとえば、サービスの種類は、カーシェアリングサービス、食品配達サービス、ランドリーサービス、メイドサービス、修理サービス、家事サービス、デバイスオートメーションサービス、またはメディアストリーミングサービスを含み得る。製品の種類は、たとえば、服、靴、おもちゃ、電子機器、コンピュータ、本、または宝飾品を含み得る。予約の種類は、たとえば、夕食の予約またはヘアサロンの予約を含み得る。チケットの種類は、たとえば、映画のチケット、スポーツ会場のチケット、または航空券を含み得る。場合によっては、サービス、製品、予約、またはチケットの種類は、価格、場所、配送の種類、入手のしやすさ、またはその他の属性に基づいてカテゴリ分けされ得る。
【００６８】
NLPコンポーネント112は、要求および要求に対応するトリガキーワードを特定するために入力オーディオ信号をパースし、プロファイルスタックデータ構造の第1のプロファイルレイヤに適合する要求に応答する第1のアクションデータ構造を、トリガキーワードとプロファイルスタックデータ構造にプッシュされた第2のプロファイルレイヤとに基づいてダイレクトアクションAPIに生成させるためにダイレクトアクションAPI 116に要求およびトリガキーワードを提供することができる。
【００６９】
ダイレクトアクションAPI 116は、要求の種類を特定すると、テンプレートリポジトリ122からの対応するテンプレートにアクセスすることができる。テンプレートは、(ピックアップ場所でエンドユーザをピックアップし、エンドユーザを目的地に輸送するためにタクシーを送る動作などの)第三者デバイス146のローカルコンピューティングデバイスによって検出された入力オーディオによって要求される動作をさらに実行するためにダイレクトアクションAPI 116によってデータを投入されうる構造化されたデータセットのフィールドを含み得る。ダイレクトアクションAPI 116は、トリガキーワードおよび要求の1つまたは複数の特徴に一致するテンプレートを選択するためにテンプレートリポジトリ122内のルックアップを実行することができる。たとえば、要求が目的地までの車または乗車の要求に対応する場合、データ処理システム102は、カーシェアリングサービスのテンプレートを選択することができる。カーシェアリングサービスのテンプレートは、以下のフィールド、すなわち、デバイス識別子、ピックアップ場所、目的地、乗客数、またはサービスの種類のうちの1つまたは複数を含み得る。ダイレクトアクションAPI 116は、フィールドに値を投入することができる。フィールドに値を投入するために、ダイレクトアクションAPI 116は、コンピューティングデバイス104の1つもしくは複数のセンサ134またはデバイス104のユーザインターフェースにpingするか、ポーリングするか、あるいはそうでなければそれらのセンサ134またはユーザインターフェースから情報を取得することができる。たとえば、ダイレクトアクションAPI 116は、GPSセンサなどの位置センサを使用してソースの位置を検出することができる。ダイレクトアクションAPI 116は、コンピューティングデバイス104のエンドユーザに調査、プロンプト、または問い合わせを送ることによってさらなる情報を取得することができる。ダイレクトアクションAPIは、データ処理システム102のインターフェース110およびコンピューティングデバイス104のユーザインターフェース(たとえば、オーディオインターフェース、音声に基づくユーザインターフェース、ディスプレイ、またはタッチスクリーン)を介して調査、プロンプト
、または問い合わせを送ることができる。したがって、ダイレクトアクションAPI 116は、トリガキーワードまたは要求に基づいてアクションデータ構造のためのテンプレートを選択し、1つもしくは複数のセンサによって検出されたかまたはユーザインターフェースを介して取得された情報をテンプレートの1つまたは複数のフィールドに投入し、第三者デバイス146による動作の実行を容易にするためにアクションデータ構造を生成するか、作成するか、または別の方法で構築することができる。
【００７０】
アクションデータ構造を構築するかまたは生成するために、データ処理システム102は、値を投入する選択されたテンプレートの1つまたは複数のフィールドを特定することができる。フィールドは、数値、文字列、ユニコード値、ブール論理、2進値、16進値、識別子、位置座標、地理的地域、タイムスタンプ、またはその他の値を投入され得る。フィールドまたはデータ構造自体は、データのセキュリティを保つために暗号化されるかまたはマスクされ得る。
【００７１】
テンプレートのフィールドを決定すると、データ処理システム102は、アクションデータ構造を作成するためにテンプレートのフィールドに投入するためのフィールドの値を特定することができる。データ処理システム102は、データリポジトリ124に対してルックアップまたはその他の問い合わせ動作を実行することによってフィールドの値を取得するか、取り出すか、決定するか、または別の方法で特定することができる。
【００７２】
場合によっては、データ処理システム102は、フィールドのための情報または値がデータリポジトリ124にないと判定する可能性がある。データ処理システム102は、データリポジトリ124に記憶された情報または値が期限切れであるか、古いか、またはNLPコンポーネント112によって特定されたトリガキーワードおよび要求に応じてアクションデータ構造を構築する目的にその他の点で適さない(たとえば、ローカルクライアントコンピューティングデバイス104の位置が古い位置である可能性があり、現在位置でない可能性がある、アカウントが失効している可能性がある、目的地のレストランが新しい場所に移転した可能性がある、物理的な活動の情報、または交通手段)と判定する可能性がある。
【００７３】
データ処理システム102は、そのデータ処理システム102がデータ処理システム102のメモリ内でテンプレートのフィールドのための値または情報に現在アクセスすることができないと判定する場合、値または情報を獲得することができる。データ処理システム102は、ローカルクライアントコンピューティングデバイス104の1つもしくは複数の利用可能なセンサに問い合わせるかもしくはポーリングするか、ローカルクライアントコンピューティングデバイス104のエンドユーザに情報を求めるプロンプトを表示するか、またはHTTPプロトコルを使用してオンラインのウェブに基づくリソースにアクセスすることによって情報を獲得するかまたは取得することができる。たとえば、データ処理システム102は、そのデータ処理システム102がテンプレートの必要とされるフィールドである可能性があるローカルクライアントコンピューティングデバイス104の現在位置を持たないと判定する可能性がある。データ処理システム102は、ローカルクライアントコンピューティングデバイス104に位置情報を問い合わせることができる。データ処理システム102は、全地球測位システムセンサなどの1つもしくは複数の位置センサ134、WiFi三角測量、セルタワー三角測量、Bluetooth(登録商標)ビーコン、IPアドレス、またはその他の位置感知技術を使用して位置情報を提供するようにローカルクライアントコンピューティングデバイス104に要求することができる。
【００７４】
場合によっては、データ処理システム102は、第2のプロファイルを使用してアクションデータ構造を生成することができる。そして、データ処理システム102は、第2のプロファイルを使用して生成されたアクションデータ構造が第1のプロファイルに準拠しているかどうかを判定することができる。たとえば、第1のプロファイルは、ローカルコンピューティングデバイス104によって電子的なオンライン小売業者から製品を購入するなどの、ある種類のアクションデータ構造をブロックするためのポリシーを含み得る。ローカルコンピューティングデバイス104によって検出された入力オーディオは、電子的なオンライン小売業者から製品を購入する要求を含んでいた可能性がある。データ処理システム102は、電子的なオンライン小売業者に関連するアカウント情報を特定するために第2のプロファイルを使用し、それから、製品を購入するためにアクションデータ構造を生成した可能性がある。アクションデータ構造は、話者認識コンポーネント120によって特定された音響シグネチャに関連する電子アカウントに対応するアカウント識別子を含み得る。
【００７５】
アクションデータ構造を生成すると、ダイレクトアクションAPI 116は、電子的なオンライン小売業者にアクションデータ構造を送信しようと試みる可能性がある。しかし、スタック作成エンジンコンポーネント114は、アクションデータ構造を傍受することができる。スタック作成エンジンコンポーネント114は、アクションデータ構造がセッションのために確立されたプロファイルスタック内の第1のプロファイルレイヤの1つまたは複数のポリシーに準拠するかどうかを判定するためにそのアクションデータ構造を分析することができる。スタック作成エンジンコンポーネント114は、電子的な小売業者から製品を購入するためのアクションデータ構造が準拠していると判定する場合、アクションデータ構造を開放することができる。しかし、アクションデータ構造が第1のプロファイルレイヤに反しているかまたは準拠していないとスタック作成エンジンコンポーネントが判定する場合、スタック作成エンジンコンポーネント114は、アクションデータ構造をブロックすることができる。
【００７６】
場合によっては、ダイレクトアクションAPI 116が、プロファイルスタックを取り出し、第1のプロファイルレイヤおよび第2のプロファイルレイヤを特定することができ、第2のプロファイルレイヤが、その後プッシュされた第2のプロファイルに対応する。ダイレクトアクションAPI 116は、第2のプロファイルなどの最後にプッシュされたプロファイルを使用してアクションデータ構造を生成することができる。そして、ダイレクトアクションAPI 116は、第2のプロファイルを使用して生成されたアクションデータ構造を第1のプロファイルに含まれる1つまたは複数のポリシーと比較することができる。ポリシーを使用した比較に基づいて、ダイレクトアクションAPI 116は、アクションデータ構造を承認すべきかまたはアクションデータ構造をブロックすべきかを判定することができる。
【００７７】
たとえば、データ処理システム102は、トリガキーワードとプロファイルスタックにプッシュされた第2のプロファイルレイヤとに基づいて第1のアクションデータ構造を生成することができる。データ処理システム102は、入力オーディオ信号内の要求に応答して第1のアクションデータ構造を生成することができる。データ処理システム102は、第1のアクションデータ構造を第1のプロファイルレイヤの1つまたは複数のポリシーと比較することができ、第1のプロファイルレイヤは、デフォルトプロファイルレイヤまたはベースラインプロファイルレイヤに対応する。データ処理システム102は、第1のプロファイルレイヤの1つまたは複数のポリシーとの第1のアクションデータ構造の比較に基づいて、第1のアクションデータ構造が第1のプロファイルレイヤに適合していると判定する可能性がある。第1のプロファイルレイヤに適合していると判定された第1のアクションデータ構造に応答して、データ処理システム102は、実行するために第1のアクションデータ構造を提供することができる。
【００７８】
第1のプロファイルレイヤのポリシーは、ある種類のアクションデータ構造をブロックするためのポリシーを含み得る。ブロックされる可能性があるアクションデータ構造の種類は、たとえば、第三者の競争相手のエンティティから製品もしくはサービスを購入するためのアクションデータ構造、安全でないアクション、またはネットワーク帯域幅を大量に消費するアクション(たとえば、4K解像度のマルチメディアコンテンツをストリーミングする、50メガバイト、100メガバイトなどを超えるような大きなデータファイルをダウンロードする)を含み得る。データ処理システムは、第1のアクションデータ構造が第1のプロファイルレイヤに適合するかどうかを判定するために、第1のアクションの種類を第1のプロファイルレイヤの1つまたは複数のポリシーによって示されたアクションデータ構造の種類と比較することができる。第1のアクションデータ構造がポリシーによって許可される(たとえば、ポリシーによってブロックされない)場合、データ処理システム102は、第1のアクションデータ構造を承認し得る。
【００７９】
場合によっては、データ処理システム102は、自然言語プロセッサによって特定されたトリガキーワード、およびプロファイルスタックデータ構造を受信することができる。データ処理システム102は、トリガキーワードおよびプロファイルスタックデータ構造に基づいて、第1のプロファイルレイヤと第2のプロファイルレイヤとの両方に適合しているデジタルコンポーネントを選択することができる。デジタルコンポーネントは、補足的なデジタルコンポーネントを指す可能性がある。たとえば、データ処理システム102は、自然言語プロセッサによって特定されたトリガキーワードを受信し、トリガキーワードに基づいてリアルタイムのコンテンツ選択プロセスによってデジタルコンポーネントを選択するためにコンテンツセレクタコンポーネント118を含むか、実行するか、または別の方法でそのようなコンテンツセレクタコンポーネント118と通信することができる。コンテンツ選択プロセスは、第三者コンテンツプロバイダ106によって提供されたスポンサー付きデジタルコンポーネントオブジェクトを選択することを指すかまたは含む可能性がある。リアルタイムのコンテンツ選択プロセスは、複数のコンテンツプロバイダによって提供されたデジタルコンポーネントが、コンピューティングデバイス104に提供する1つまたは複数のデジタルコンポーネントを選択するためにパースされるか、処理されるか、重み付けされるか、またはマッチングされるサービスを含む可能性がある。コンテンツセレクタコンポーネント118は、コンテンツ選択プロセスをリアルタイムで実行することができる。コンテンツ選択プロセスをリアルタイムで実行することは、ローカルクライアントコンピューティングデバイス104を介して受信されたコンテンツの要求に応答してコンテンツ選択プロセスを実行することを指す可能性がある。リアルタイムのコンテンツ選択プロセスは、要求を受信する時間間隔(たとえば、5秒、10秒、20秒、30秒、1分、2分、3分、5分、10分、または20分)以内に実行される(たとえば、開始されるかまたは完了される)可能性がある。リアルタイムのコンテンツ選択プロセスは、ローカルクライアントコンピューティングデバイス104との通信セッション中に、または通信セッションが終了された後にある時間間隔以内に実行される可能性がある。
【００８０】
たとえば、データ処理システム102は、デジタルコンポーネントオブジェクトを選択するように設計されたか、構築されたか、構成されたか、または動作可能であるコンテンツセレクタコンポーネント118を含み得る。音声に基づく環境内に表示するためにデジタルコンポーネントを選択するために、データ処理システム102は、(たとえば、NLPコンポーネント112によって)キーワード(たとえば、トリガキーワード)を特定するために入力オーディオ信号をパースし、部分一致、完全一致、またはフレーズ一致に基づいて一致するデジタルコンポーネントを選択するためにキーワードを使用することができる。たとえば、コンテンツセレクタコンポーネント118は、候補デジタルコンポーネントの主題がローカルクライアントコンピューティングデバイス104のマイクロフォンによって検出された入力オーディオ信号のキーワードまたはフレーズの主題に対応するかどうかを判定するために候補デジタルコンポーネントの主題を分析するか、パースするか、または別の方法で処理することができる。コンテンツセレクタコンポーネント118は、画像処理技術、文字認識技術、自然言語処理技術、またはデータベースルックアップを使用して候補デジタルコンポーネントの音声、オーディオ、語、文字、テキスト、記号、または画像を特定するか、分析するか、または認識する可能性がある。候補デジタルコンポーネントは、候補デジタルコンポーネントの主題を示すメタデータを含む可能性があり、その場合、コンテンツセレクタコンポーネント118は、候補デジタルコンポーネントの主題が入力オーディオ信号に対応するかどうかを判定するためにメタデータを処理する可能性がある。
【００８１】
コンテンツセレクタコンポーネント118は、コンテンツ選択を実行するためにプロファイルスタック内に与えられた情報をさらに利用することができる。コンテンツセレクタコンポーネント118は、ローカルコンピューティングデバイス104によって検出された入力オーディオ信号を与えた話者に関連する電子アカウントに対応し得る第2のプロファイルレイヤを利用することができる。コンテンツセレクタ118は、第三者デバイス146によって提供されたデフォルトプロファイルレイヤに対応し得る第1のプロファイルレイヤに関連する情報を使用することもできる。コンテンツプロバイダ106によって提供されるコンテンツキャンペーンは、第2のプロファイルレイヤまたは第1のプロファイルレイヤ内で示された基準にデータ処理システム102がマッチングすることができるコンテンツ選択基準を含み得る。
【００８２】
プロファイルレイヤは、デジタルコンポーネントを選択するためにコンテンツセレクタコンポーネント118によって使用される重みまたはスコアを変えることができる。たとえば、第三者デバイスによって確立される第1のプロファイルレイヤは、第三者エンティティの競争相手によって提供される製品またはサービスの重みまたはスコアを下げる一方で、第三者エンティティによって提供される製品またはサービスに関するまたはそれらの製品またはサービスを説明するデジタルコンポーネントの重みまたはスコアを上げることができる。ローカルコンピューティングデバイス104は第三者エンティティによって制御される場に置かれる可能性があるので、第三者エンティティは、コンテンツ選択中にコンテンツセレクタコンポーネント118によって利用されるべき第1のプロファイルレイヤ内のコンテンツ選択規則、ポリシー、または重み付けを確立することができる。
【００８３】
デジタルコンポーネントを選択するために第2のプロファイルレイヤを使用することによって、コンテンツセレクタコンポーネント118は、第1のプロファイルレイヤだけでなく、第2のプロファイルレイヤに基づいてデジタルコンポーネントをより精密に選択することによってデジタルコンポーネントの余分な送信を削減することができる。複数のプロファイルから構築されたプロファイルスタックを使用してデジタルコンポーネントを選択することは、第1のレイヤ(もしくはデフォルトレイヤ)または単に第2のレイヤ(電子アカウントに関連するプロファイル)を使用してデジタルコンポーネントを選択するだけとは対照的に、誤ったまたは関連性のないデジタルコンポーネントの選択をもたらす可能性がある。第1のプロファイルレイヤが、コンテンツ選択を容易にするかまたは誤ったコンテンツ選択をブロックする可能性がある、第三者エンティティ、またはローカルコンピューティングデバイス104が置かれる公共のもしくは安全でない場所に関連する情報を提供することができる。たとえば、入力オーディオ信号は、ドライクリーニングサービスの要求を含み得る。コンテンツセレクタコンポーネント118は、要求を受信し、コンテンツプロバイダデバイス106によって提供される補足的なデジタルコンポーネントを特定しようと試みる可能性がある。補足的なコンテンツプロバイダを特定するために、コンテンツセレクタコンポーネント118は、要求に関連する1つまたは複数の特徴を使用してリアルタイムのコンテンツ選択プロセスを実行することができる。コンテンツセレクタコンポーネント118は、第2のプロファイルレイヤから取得された情報をさらに入力することができる。第2のプロファイルレイヤからの情報を使用して、コンテンツセレクタコンポーネント118は、ドライクリーニングサービスプロバイダに対応するデジタルコンポーネントを選択する可能性がある。しかし、第1のプロファイルレイヤは、第1のプロファイルレイヤを確立した第三者エンティティが好ましいドライクリーニングサービスを提供する可能性があるので、ドライクリーニングサービスプロバイダに関連する補足的なデジタルコンポーネントの供給をブロックするポリシーを含み得る。コンテンツセレクタコンポーネント118は、第三者エンティティが独自のドライクリーニングサービスに関するコンテンツキャンペーンを確立しなかった可能性があるために、第三者エンティティによって提供されるドライクリーニングサービスに関するデジタルコンポーネントを選択しなかった可能性がある。したがって、第1のプロファイルレイヤと第2のプロファイルレイヤとの両方を含むプロファイルスタックを利用せずに、データ処理システム102は、好むデジタルコンポーネントが、第1のプロファイルレイヤにおいて特定される、第三者エンティティによって提供されるドライクリーニングサービスに対応するとき、ドライクリーニングサービスプロバイダに対応する補足的なデジタルコンポーネントを誤って提供した可能性がある。したがって、データ処理システム102は、選択されたデジタルコンポーネントを、第1のプロファイルレイヤ(またはデフォルトプロファイルレイヤ)によって示された好ましいデジタルコンポーネントによって上書きするかまたは置き換えることができる。
【００８４】
場合によっては、コンテンツセレクタコンポーネント118は、第1のプロファイルレイヤがある種類のデジタルコンポーネントの選択をブロックするポリシーまたは情報を含むかどうかを判定するために第1のプロファイルレイヤをパースし、リアルタイムのコンテンツ選択プロセスを実行することを防止することができ、それによって、入力オーディオ信号に含まれる要求に応答してデジタルコンポーネントを提供する際の計算リソースの利用を減らし、遅延またはレイテンシーを潜在的に減らす。
【００８５】
コンテンツプロバイダ106は、デジタルコンポーネントを含むコンテンツキャンペーンを設定するときに追加的なインジケータを提供する可能性がある。コンテンツプロバイダ106は、候補デジタルコンポーネントについての情報を使用してルックアップを実行することによってコンテンツセレクタコンポーネント118が特定し得るコンテンツキャンペーンまたはコンテンツグループレベルの情報を提供する可能性がある。たとえば、候補デジタルコンポーネントは、コンテンツグループ、コンテンツキャンペーン、またはコンテンツプロバイダにマッピングされ得る一意識別子を含む可能性がある。コンテンツセレクタコンポーネント118は、データリポジトリ124内のコンテンツキャンペーンデータ構造に記憶された情報に基づいてコンテンツプロバイダ106についての情報を決定する可能性がある。
【００８６】
データ処理システム102は、コンピューティングデバイス104上で提示するためのコンテンツの要求をコンピュータネットワークを介して受信することができる。データ処理システム102は、ローカルクライアントコンピューティングデバイス104のマイクロフォンによって検出された入力オーディオ信号を処理することによって要求を特定することができる。要求は、要求に関連するデバイスの種類、場所、およびキーワードなどの要求の選択基準を含み得る。要求は、アクションデータ構造を含み得る。
【００８７】
要求に応答して、データ処理システム102は、データリポジトリ124、またはコンテンツプロバイダ106に関連するデータベースからデジタルコンポーネントオブジェクトを選択し、コンピューティングデバイス104によって提示するためのデジタルコンポーネントをネットワーク105を介して提供することができる。デジタルコンポーネントオブジェクトは、第三者デバイス146とは異なるコンテンツプロバイダデバイス108によって提供され得る。デジタルコンポーネントは、アクションデータ構造のサービスの種類とは異なるサービスの種類に対応し得る(たとえば、タクシーサービスに対して食品配達サービス)。コンピューティングデバイス104は、デジタルコンポーネントオブジェクトとインタラクションすることができる。コンピューティングデバイス104は、デジタルコンポーネントに対するオーディオ応答を受信することができる。コンピューティングデバイス104は、コンピューティングデバイス104がサービスプロバイダ108を特定すること、サービスプロバイダ108からのサービスを要求すること、サービスを実行するようにサービスプロバイダ108に命令すること、サービスプロバイダ108に情報を送信すること、もしくは別の方法で第三者デバイス146に問い合わせることを引き起こすかまたは可能にするデジタルコンポーネントオブジェクトに関連するハイパーリンクまたはその他のボタンを選択するための指示を受信し得る。
【００８８】
データ処理システム102は、(たとえば、インターフェース110およびネットワーク105を介して)入力オーディオ信号またはその要求もしくは問い合わせに応答する出力信号を含むデータパケットを送信することができる。出力信号は、クライアントデバイス104のまたはクライアントデバイス104によって実行されるオーディオドライバコンポーネント138に、出力信号に対応する音響波を生成させるようにローカルコンピューティングデバイス104のスピーカ(たとえば、トランスデューサ136)を駆動させることができる。
【００８９】
データ処理システム102は、(たとえば、スタック作成エンジンコンポーネント114によって)プロファイルスタックデータ構造を分解して、プロファイルスタックデータ構造から第1のプロファイルレイヤまたは第2のプロファイルレイヤのうちの一方を取り除くことができる。データ処理システムは、前の構成またはデフォルト構成に戻し、セッションおよび電子アカウントに関連するすべての情報を消去するかまたは保護することによって電子アカウントから分離することができる。たとえば、データ処理システムは、ローカルコンピューティングデバイス104のために構成されたプロファイルスタックデータ構造から第2のプロファイルレイヤを取り除くかまたは削除することができる。データ処理システム102は、ローカルコンピューティングデバイス104を工場出荷時設定またはデフォルト構成に戻すかまたはリセットすることができる。データ処理システム102は、データ処理システム102に記憶された第2のプロファイルに任意のセッションに関連する情報をアップロードし、第2のプロファイルに関連する情報の任意のローカルのコピーを取り除くかまたはパージすることができる。
【００９０】
データ処理システム102は、トリガイベントの検出に応じてプロファイルスタックから第1のプロファイルレイヤまたは第2のプロファイルレイヤのうちの一方を取り除くことができる。トリガイベントは、時間間隔、命令、イベント、場所、ジオフェンス、認可されていない使用、詐欺の検出、または新しい話者認識に基づく可能性がある。データ処理システム102は、トリガイベントの種類に基づいて第1のプロファイルまたは第2のプロファイルのうちの一方を取り除くと決定することができる。
【００９１】
データ処理システム102は、(たとえば、話者認識コンポーネント120によって)異なるユーザがローカルコンピューティングデバイス104に入力オーディオ信号を提供していると判定する可能性がある。異なるユーザは、第1のユーザと同じでない第2のユーザである可能性がある。第2のユーザは、異なる音響シグネチャを有する可能性がある。話者認識コンポーネント120は、第2の音響シグネチャを検出し、異なるユーザが存在すると判定し、それから、第1のユーザとのセッションを終了することができる。話者認識コンポーネント120は、第2の、異なるユーザの指示をスタック作成エンジンコンポーネント114に提供することができ、スタック作成エンジンコンポーネント114は、プロファイルスタックから第2のプロファイルレイヤを取り除くことができる。スタック作成エンジンコンポーネント114は、第1のユーザとは異なる第2のユーザの指示を受信することに応答して、プロファイルスタックデータ構造をクリアするか、または単に第1のユーザに対応する第2のプロファイルレイヤを取り除くことができる。
【００９２】
データ処理システム102は、クライアントデバイス(たとえば、ローカルコンピューティングデバイス104)のセンサ134によって検出された第2の入力オーディオ信号を含む第2のデータパケットをインターフェース110を介して受信する。第2の入力オーディオ信号は、オーディオ信号の後に検出され得る。データ処理システム102(たとえば、話者認識コンポーネント120)は、第2の入力オーディオ信号から第2の音響シグネチャを特定することができる。第2の音響シグネチャは、第1の音響シグネチャと異なる可能性がある。データ処理システム102は、第1の音響シグネチャと異なる第2の音響シグネチャの特定に基づいてトリガイベントを判定することができる。
【００９３】
スタック作成エンジンコンポーネント114は、時間間隔の間不活発であったことに応答してプロファイルスタックをクリアするかまたは第2のプロファイルレイヤを取り除くことができる。スタック作成エンジンコンポーネント114は、第2のプロファイルレイヤに対応するユーザが5分、10分、15分、20分、25分、30分、1時間、またはそれ以上などの時間間隔の間いかなる音声入力も与えなかったことに応答してプロファイルスタックまたは第2のプロファイルレイヤをクリアすることができる。プロファイルスタックをクリアするかまたは第2のプロファイルレイヤを取り除くことにより、セキュリティを高め、メモリ内のプロファイルスタックを最小限に維持することができる。
【００９４】
スタック作成エンジンコンポーネント114は、第2のプロファイルレイヤに対応するユーザがローカルコンピューティングデバイス104または第三者エンティティに対応する公共の場所または安全でない場所を離れたと判定したことに応答してプロファイルスタックをクリアすることができる。スタック作成エンジンコンポーネント114は、モバイルコンピューティングデバイス144がローカルコンピューティングデバイス104から閾値の距離を超えて離れているという指示をユーザによって持ち運ばれ得るモバイルコンピューティングデバイス144から受信することができる。閾値の距離は、20メートル、25メートル、50メートル、100メートル、200メートル、500メートル、750メートル、1000メートル、またはそれ以上である可能性がある。たとえば、スタック作成エンジンコンポーネント114は、ローカルコンピューティングデバイス104の周りの地理的フェンス(geographic fence)を確立することができる。地理的フェンスは、モバイルデバイスがローカルコンピューティングデバイス104の周りの特定の領域に入るかまたはその特定の領域を離れるときにソフトウェアが応答をトリガすることを可能にする、全地球測位システム(「GPS」)または無線周波数識別(「RFID」)または近距離無線通信ビーコンによって画定される仮想的な地理的境界を指す可能性がある。したがって、ユーザがそれらのユーザのモバイルコンピューティングデバイス144とともにホテルの部屋を離れるとき、データ処理システム102は、ローカルコンピューティングデバイス104によって検出された音声入力を処理するために使用されるプロファイルスタックから第2のプロファイルレイヤを自動的に取り除くことができる。
【００９５】
スタック作成エンジンコンポーネント114は、第三者デバイス146とインターフェースを取り、プロファイルスタックをクリアするかまたは第2のプロファイルレイヤを取り除くために第三者デバイス146から指示を受信することができる。たとえば、第三者デバイス146は、第2のプロファイルレイヤに関連するユーザがホテルの部屋をチェックアウトしたという指示を受信する電子的なホテルの宿泊客管理システムを含み得る。宿泊客がチェックアウトしたという指示を受信したことに応答して、第三者デバイス146は、指示をデータ処理システム102に転送することができる。データ処理システム102(たとえば、スタック作成エンジンコンポーネント114)は、宿泊客がチェックアウトしたという指示を受信し、指示に応答して、ローカルコンピューティングデバイス104に関連する音声入力を処理するために使用されるプロファイルスタックから第2のプロファイルレイヤを取り除くことができ、それによって、プロファイルスタックを分解する。
【００９６】
プロファイルスタックデータ構造を分解することは、プロファイルスタックから1つまたは複数のプロファイルを取り除くかまたはクリアすることを含み得る。プロファイルスタックを分解することは、第1のプロファイルレイヤのみを取り除くこと、第2のプロファイルレイヤのみを取り除くこと、または第1のプロファイルレイヤと第2のプロファイルレイヤとの両方を取り除くことを含み得る。たとえば、データ処理システムは、デフォルトプロファイルレイヤに対応する第1のプロファイルレイヤを維持しながら、音響シグネチャに対応する電子アカウントに対応する第2のプロファイルレイヤを取り除くことができる。
【００９７】
図2は、プロファイルスタックを処理するためのシステム100の動作の図である。システム100は、環境200内で動作することができる。環境200は、図1に示されるシステム100または図6に示されるシステム600の1つまたは複数のコンポーネントを含み得る。環境200は、安全な公共の場所202を含み得る。安全な公共の場所202は、公共の場所を指す可能性がある。公共の場所は、場所、土地、建物、家、部屋、あるいは同じ時間にもしくは異なる時間に複数のユーザによって占有され得るかまたは複数のユーザによってアクセスされ得るその他の構造または場を指す可能性がある。たとえば、公共の土地または公共の場所は、ホテルの部屋、モーテルの部屋、客室、レンタカー、物理的な小売店、モール、公園、オフィス、または小個室を含み得る。この例において、安全な公共の場所202は、ホテルの部屋である可能性がある。公共の場所202は、モバイルコンピューティングデバイス144が場所202の中に置かれている可能性があり、それによって、ユーザが存在する可能性があることを示すので安全であり得る。しかし、システムは、モバイルコンピューティングデバイス144が場所202の中に置かれているかどうかに関係なく、トリガイベント、または活動のない時間間隔に基づいて場所202を安全でないとみなす可能性がある。
【００９８】
ホテルの部屋(または安全な公共の場所202)は、接続された電気通信デバイス204(たとえば、接続された電話)、接続されたサーモスタット206、接続されたランプ208、接続されたスピーカ210(もしくはサウンドシステム)、または接続されたマルチメディアディスプレイ212(もしくはスマートテレビ)などのいくつかのインターネットに接続されたデバイスを含み得る。インターネットに接続されたデバイス204、206、208、210、または212は、ワイヤレスゲートウェイ214(たとえば、ネットワークルータ、ワイヤレスルータ、またはモデム)を介してネットワーク105に接続することが可能であり、ワイヤレスゲートウェイ214は、ネットワーク105へのアクセスを提供することができる。インターネットに接続されたデバイス204、206、208、210、または212は、データ処理システム102を介して監視されるか、管理されるか、または制御される可能性がある。場合によっては、インターネットに接続されたデバイス204、206、208、210、または212は、データ処理システム102を介して第三者デバイス146によって監視されるか、管理されるか、または制御される可能性がある。
【００９９】
図2に示される例示的な環境200において、モバイルコンピューティングデバイス144は、ホテルの部屋または安全な公共の場所202に置かれる。ローカルコンピューティングデバイス104も、安全な公共の場所202に置かれる。ローカルコンピューティングデバイス104は、ホテルの部屋の中にいるユーザから音声入力を受け取ることができる。ローカルコンピューティングデバイス104は、入力オーディオを含むデータパケットを生成し、ワイヤレスゲートウェイ214およびネットワーク105を介してデータ処理システム102にデータパケットを送信することができる。データ処理システム102は、データパケットを受信し、入力オーディオ信号から音響シグネチャを特定するために話者認識を実行することができる。それから、データ処理システム102は、音響シグネチャに対応する電子アカウントを特定することができる。データ処理システム102は、電子アカウントに対応するプロファイルを選択し、それから、ローカルコンピューティングデバイス104のためのプロファイルスタックデータ構造142にプロファイルをプッシュすることができる。プロファイルスタックデータ構造142は、ローカルコンピューティングデバイス104に固有である可能性がある。たとえば、各ローカルコンピューティングデバイス104は、それぞれのプロファイルスタックデータ構造142を持ち得る。ローカルコンピューティングデバイス104のためのプロファイルスタックデータ構造142は、プロファイルスタックデータ構造142を使用して処理を容易にするためにデータ処理システム102上に(たとえば、データ処理システム102のデータリポジトリまたはメモリに)記憶され得るかまたは保持され得る。場合によっては、プロファイルスタックデータ構造142は、ローカルコンピューティングデバイス104のメモリにローカルに記憶され得る。
【０１００】
プロファイルスタックデータ構造142は、第三者デバイス146によって確立されたデフォルトプロファイルまたはベースラインプロファイルに対応する第1のプロファイルレイヤ「レイヤ1」を含み得る。第三者デバイス146は、プロファイルスタックデータ構造142に配置するためにデータ処理システム102にレイヤ1のプロファイルを提供し得る。データ処理システム102は、音響シグネチャを検出したことに応答して、第2のプロファイルレイヤ「レイヤ2」に配置するためにプロファイルスタックデータ構造142に電子アカウントに対応する第2のプロファイルをプッシュすることができる。
【０１０１】
レイヤ1のプロファイルは、インターネットに接続されたデバイス204、206、208、210、または212に関する所定のラベルを含み得る。ラベルは、第三者デバイス146を介して確立され得る。第三者デバイス146は、安全な公共の場所202(たとえば、ホテル)を管理するか、所有するか、または運用する第三者エンティティに関連付けられ得る。
【０１０２】
レイヤ2の第2のプロファイルレイヤは、音響シグネチャに対応するユーザの電子アカウントに関連するプロファイル情報を含み得る。第2のプロファイルは、インターネットに接続されたデバイス204、206、208、210、または212に関するラベルを含む可能性がありまたは含まない可能性がある。第2のプロファイルがレイヤ1に与えられたラベルと同様であるインターネットに接続されたデバイスに関するラベルを含む場合、データ処理システム102は、レイヤ1内のラベルがレイヤ2内のラベルよりも高くランク付けされるかまたはより高く優先順位付けされる可能性があるので、レイヤ1のラベルを使用すると決定し得る。場合によっては、データ処理システム102は、曖昧さをなくすことを容易にし、インターネットに接続されたデバイスに送信されるアクションデータ構造の数を減らすために、どのインターネットに接続されたデバイスが参照されているのかを明確にするためのプロンプトをユーザに提供することができ、それによって、意図しないインターネットに接続されたデバイスによるネットワーク帯域幅の利用および計算リソースの利用を削減する。
【０１０３】
たとえば、入力オーディオは、「私の居間のランプをつける」要求を含み得る。プロファイルスタックデータ構造がレイヤ1のプロファイルのみを含んでいた場合、データ処理システム102は、ホテルの部屋202に1つの接続されたランプのみが存在するので、ランプが、接続されたランプ208に対応すると判定する可能性がある。そして、データ処理システム102は、ネットワーク105を介して接続されたランプ208に命令を含むアクションデータ構造を送信することによって接続されたランプ208をつける可能性がある。しかし、プロファイルスタックデータ構造142にロードされたレイヤ2のプロファイルが存在する場合、データ処理システム102は、第2のプロファイルがラベル「居間のランプ」を含むかどうかを判定するためにその第2のプロファイルをパースし得る。ラベル「居間のランプ」は、電子アカウントに関連する私邸のランプに対応する可能性がある。データ処理システム102がラベル「居間のランプ」を検出する場合、データ処理システム102は、私邸に置かれた接続された居間のランプに命令を含むアクションデータ構造を送信する可能性がある。
【０１０４】
ローカルコンピューティングデバイス104は、オーディオドライバ138、トランスデューサ136、センサ134、およびプリプロセッサコンポーネント140を含み得る。センサ134は、入力オーディオ信号(たとえば、音声入力)を受信するかまたは検出することができる。プリプロセッサコンポーネント140は、オーディオドライバ、トランスデューサ、およびセンサに結合され得る。プリプロセッサコンポーネント140は、(たとえば、特定の周波数を取り除くかまたは雑音を抑制することによって)フィルタリングされた入力オーディオ信号を生成するために入力オーディオ信号をフィルタリングすることができる。プリプロセッサコンポーネント140は、(たとえば、ソフトウェアまたはハードウェアデジタル-アナログコンバータを使用して)フィルタリングされた入力オーディオ信号をデータパケットに変換することができる。場合によっては、プリプロセッサコンポーネント140は、フィルタリングされていない入力オーディオ信号をデータパケットに変換し、データパケットをデータ処理システム102に送信することができる。プリプロセッサコンポーネント140は、自然言語プロセッサコンポーネント、インターフェース、話者認識コンポーネント、およびダイレクトアクションアプリケーションプログラミングインターフェースを実行する1つまたは複数のプロセッサおよびメモリを含むデータ処理システム102にデータパケットを送信することができる。
【０１０５】
データ処理システム102は、センサによって検出されたフィルタリングされた(またはフィルタリングされていない)入力オーディオ信号を含むデータパケットをプリプロセッサコンポーネントからインターフェースを介して受信することができる。データ処理システム102は、入力オーディオ信号から音響シグネチャを特定することができる。データ処理システム102は、データリポジトリ内でのルックアップ(たとえば、データベースに問い合わせること)に基づいて音響シグネチャに対応する電子アカウントを特定することができる。データ処理システム102は、電子アカウントを特定したことに応答して、セッションおよびセッションにおいて使用するためのプロファイルスタックデータ構造を確立することができる。プロファイルスタックデータ構造は、第三者エンティティのデバイスによって構成された1つまたは複数のポリシーを有する第1のプロファイルレイヤを含む。データ処理システム102は、電子アカウントから取り出された第2のプロファイルレイヤを、セッションのために確立されたプロファイルスタックデータ構造にプッシュすることができる。データ処理システム102は、要求および要求に対応するトリガキーワードを特定するために入力オーディオ信号をパースすることができる。データ処理システム102は、プロファイルスタックデータ構造の第1のプロファイルレイヤに適合する要求に応答する第1のアクションデータ構造を、トリガキーワードとプロファイルスタックデータ構造にプッシュされた第2のプロファイルレイヤとに基づいて生成することができる。データ処理システム102は、実行するために第1のアクションデータ構造を提供することができる。データ処理システム102は、トリガイベントを検出したことに応答して、プロファイルスタックデータ構造を分解して、プロファイルスタックデータ構造から第1のプロファイルレイヤまたは第2のプロファイルレイヤのうちの一方を取り除くことができる。
【０１０６】
データ処理システム102は、プロファイルスタックデータ構造のステータスをローカルコンピューティングデバイス104のプリプロセッサコンポーネントに提供することができる。ステータスは、第2のプロファイルレイヤがプロファイルスタックにプッシュされたことを示す可能性がある。ステータスは、第1のプロファイルレイヤと第2のプロファイルレイヤとの両方がプロファイルスタック内にあることを示す可能性がある。ステータスは、第2のプロファイルレイヤがプロファイルスタックから取り除かれたことを示す可能性がある。ステータスは、プロファイルスタックがクリアされたかまたは(たとえば、プロファイルスタック内に第1のプロファイルレイヤのみを有する)デフォルト状態に戻されたことを示す可能性がある。たとえば、「安全な場」、「公共の場」、「<電子アカウントの識別子>」、または「準備完了(ready)」を含む様々な用語が、ステータスを示すために使用され得る。
【０１０７】
ローカルコンピューティングデバイス104は、ステータスの指示を受信することができる。オーディオドライバは、プロファイルスタックデータ構造のステータスの指示を受信し、指示に基づいて出力信号を生成することができる。オーディオドライバは、指示を音声信号または音響出力信号などの出力信号に変換することができる。オーディオドライバは、オーディオドライバによって生成された出力信号に基づいて音を生成するようにトランスデューサ136(たとえば、スピーカ)を駆動することができる。
【０１０８】
場合によっては、ローカルコンピューティングデバイス104は、光源を含み得る。光源は、1つもしくは複数のLED、ライト、ディスプレイ、または光または視覚的出力を提供するように構成されたその他のコンポーネントもしくはデバイスを含み得る。プリプロセッサコンポーネントは、光源にプロファイルスタックデータ構造のステータスに対応する視覚的な指示を提供させることができる。たとえば、視覚的な指示は、オンになるステータスインジケータライト、光の色の変化、1つもしくは複数の色を用いたライトパターン、またはテキストもしくは画像の視覚的表示である可能性がある。
【０１０９】
図3は、プロファイルスタックを処理するためのシステム100の動作の図である。システム100は、図1に示されるシステム100、図2に示される環境200、または図6に示されるシステム600の1つまたは複数のコンポーネントを含み得る環境300内で動作することができる。環境300は、図2に示される同じ場所202を含み得るが、場所は、安全な公共の場所202とは対照的に安全でない公共の場所302である可能性がある。公共の場所は、モバイルコンピューティングデバイス144が安全な公共の場所の外304に置かれているので安全でない公共の場所302である可能性がある。安全な場所の外304は、地理フェンスの外にあるか、またはローカルコンピューティングデバイス104から距離の閾値よりも離れていることを指す可能性がある。安全でない公共の場所302にあるインターネットに接続されたデバイス204、206、208、210、および212は、安全な公共の場所202にある同じインターネットに接続されたデバイスである可能性がある。しかし、モバイルコンピューティングデバイス144が場所302を離れることは、データ処理システム102にプロファイルスタックデータ構造142を分解させる終了イベントをトリガすることができる。プロファイルスタックデータ構造142を分解することは、レイヤ1に第1のプロファイルを残しながらレイヤ2内の第2のプロファイルを取り除くことを含み得る。データ処理システム102は、プロファイルスタックデータ構造142を、第三者によって確立されたローカルコンピューティングデバイス104のために構成されたデフォルト状態に戻すことができる。たとえば、データ処理システム102は、プロファイルスタックデータ構造142からレイヤ2を取り除くための命令306を送信することができる。
【０１１０】
図4は、プロファイルスタックを処理するためのシステム100の動作の図である。システム100は、図1に示されるシステム100、または図6に示されるシステム600の1つまたは複数のコンポーネントを含み得る環境400内で動作することができる。環境400は、第2のプロファイルに関連する音響シグネチャを有する電子アカウントに関連するユーザに対応する私邸などの安全な私的な場所402を含み得る。安全な私的な場所402は、データ処理システム102によって管理されるか、監視されるか、または制御され得るいくつかのインターネットに接続されたデバイスを含み得る。インターネットに接続されたデバイスは、たとえば、接続された電気通信デバイス204、接続されたサーモスタット206、接続されたランプ208、接続されたスピーカ210、および接続されたマルチメディアディスプレイ212を含み得る。安全な私的な場所402は、ローカルコンピューティングデバイス104も含み得る。ローカルコンピューティングデバイスは、ローカルコンピューティングデバイス104としての1つまたは複数のコンポーネントまたは機能を含み得る。安全な私的な場所402は、ワイヤレスゲートウェイ214も含む可能性があり、ワイヤレスゲートウェイ214は、図2に示された公共の場所202に置かれたワイヤレスゲートウェイ214としての1つまたは複数のコンポーネントまたは機能を含み得る。
【０１１１】
安全な私的な場所402に置かれた接続された電気通信デバイス204は、図2に示された公共の場所202に置かれた接続された電気通信デバイス204としての1つまたは複数のコンポーネントまたは機能を含み得る。しかし、安全な私的な場所402に置かれた接続された電気通信デバイス204は、図2に示された公共の場所202に置かれた接続された電気通信デバイス204と比較して異なる構成の設定または識別子を含み得る。
【０１１２】
安全な私的な場所402に置かれた接続されたサーモスタット206は、図2に示された公共の場所202に置かれた接続されたサーモスタット206としての1つまたは複数のコンポーネントまたは機能を含み得る。しかし、安全な私的な場所402に置かれた接続されたサーモスタット206は、図2に示された公共の場所202に置かれた接続されたサーモスタット206と比較して異なる構成の設定または識別子を含み得る。
【０１１３】
安全な私的な場所402に置かれた接続されたランプ208は、図2に示された公共の場所202に置かれた接続されたランプ208としての1つまたは複数のコンポーネントまたは機能を含み得る。しかし、安全な私的な場所402に置かれた接続されたランプ208は、図2に示された公共の場所202に置かれた接続されたランプ208と比較して異なる構成の設定または識別子を含み得る。
【０１１４】
安全な私的な場所402に置かれた接続されたスピーカ210は、図2に示された公共の場所202に置かれた接続されたスピーカ210としての1つまたは複数のコンポーネントまたは機能を含み得る。しかし、安全な私的な場所402に置かれた接続されたスピーカ210は、図2に示された公共の場所202に置かれた接続されたスピーカ210と比較して異なる構成の設定または識別子を含み得る。
【０１１５】
安全な私的な場所402に置かれた接続されたマルチメディアディスプレイ212は、図2に示された公共の場所202に置かれた接続されたマルチメディアディスプレイ212としての1つまたは複数のコンポーネントまたは機能を含み得る。しかし、安全な私的な場所402に置かれた接続されたマルチメディアディスプレイ212は、図2に示された公共の場所202に置かれた接続されたマルチメディアディスプレイ212と比較して異なる構成の設定または識別子を含み得る。
【０１１６】
安全な私的な場所402は、ユーザの私邸、家、またはアパートを指す可能性がある。安全な私的な場所402内のローカルコンピューティングデバイス104は、第三者デバイス146によって提供されたデフォルトまたはベースラインプロファイルを利用しない可能性がある。したがって、データ処理システム102は、第2のユーザの電子アカウントに関連するレイヤ2のプロファイルのみを追加する可能性がある。安全な私的な場所402に置かれたローカルコンピューティングデバイス104のための(プロファイルスタックデータ構造142の1つまたは複数のコンポーネントまたは機能を含み得る)プロファイルスタックデータ構造142は、第三者デバイスによって確立されたレイヤ1のプロファイルを含まない可能性がある。したがって、データ処理システム102は、プロファイルスタックデータ構造142にレイヤ2 404を追加するのみである可能性がある。
【０１１７】
しかし、万が一、第2のユーザが安全な私的な場所402に入り、ローカルコンピューティングデバイス104によって検出される音声入力を与えるならば、データ処理システム102は、第2のユーザに対応する第3のプロファイルを選択し、それから、プロファイルスタックデータ構造142に第3のプロファイルをレイヤ3としてプッシュすることができる(プロファイルスタックデータ構造142と一致するレイヤ構造を示すために示されたレイヤ1は存在しない)。
【０１１８】
場合によっては、安全な私的な場所402内のローカルコンピューティングデバイス104およびデータ処理システム102は、プロファイルスタックデータ構造142に1つまたは複数の追加的なプロファイルレイヤをプッシュすることができる。たとえば、安全な私的な場所402の来客が、ローカルコンピューティングデバイス104によって検出され得る音声入力を与えることができる。ローカルコンピューティングデバイス104は、音声入力または入力オーディオ信号を検出すると、入力オーディオ信号に対して前処理を実行し、さらに処理するためにデータ処理システム102に入力オーディオ信号に対応するデータパケットを送信することができる。データ処理システム102は、入力オーディオ信号から音響シグネチャを検出しようと試みることができる。データ処理システム102は、音響シグネチャを特定し、それから、来客のための対応する電子アカウントを特定しようと試みる可能性がある。しかし、データ処理システム102は、来客のための対応する電子アカウントを特定することができない可能性がある--または、データ処理システム102は、音響シグネチャを特定することができない可能性がある。どちらの場合も、データ処理システム102は、入力オーディオ信号またはその音響シグネチャに応じてプロファイルレイヤにアクセスすることができないかまたはプロファイルレイヤを選択することができない可能性がある。この場合、データ処理システムは、別個の処理フローを利用することができる。
【０１１９】
たとえば、入力オーディオ信号を与えたゲストユーザは、データ処理システム102によって確立された電子アカウントまたはプロファイルを持たない可能性がある。来客は、モバイルコンピューティングデバイス144を有する可能性がある。データ処理システム102は、入力オーディオ信号に対応する電子アカウントがないと判定し得る。場合によっては、データ処理システム102は、新しいプロファイルを作成するプロンプトまたは要求を生成し得る。しかし、ゲストユーザが新しいプロファイルを作成するプロンプトまたは要求を拒否する場合、またはデータ処理システム102がプロファイルを作成することなく処理フローを続けると決定する場合、データ処理システム102は、プロファイルの入らないフローを開始するかまたはゲストモードに入ることができる。ゲストモードにおいて、データ処理システム102は、別個の認証メカニズムを利用することができる。たとえば、データ処理システム102は、ローカルコンピューティングデバイス104に結合されたディスプレイデバイスによってQRコード(登録商標)などの光符号(またはアカウントの一意識別子、識別子、もしくは金融商品(financial instrument)などの何らかのその他のコード)を提示することができる。一意識別子またはQRコード(登録商標)は、プロファイルまたは電子アカウントを作成する結果とならない一時的セッションを来客が確立することを可能にし得る。データ処理システム102は、一時的セッションによってアクションデータ構造を構築し始めるかまたはその他のタスクを実行し始める可能性がある。
【０１２０】
場合によっては、データ処理システム102は、ローカルコンピューティングデバイス104自体などの製品を購入するためのデジタルコンポーネントを来客のモバイルコンピューティングデバイス144に送信する可能性がある。
【０１２１】
図5は、コンピュータネットワークを介してスタック形式のデータ構造を処理する方法の図である。方法500は、図1に示されるシステム100または図6に示されるシステム600の1つまたは複数のコンポーネント、システム、または要素によって実行され得る。方法500は、図2に示される環境200、図3に示される環境300、または図4に示される環境400内で実行され得る。方法500は、行為502においてデータ処理システムが入力オーディオ信号を受信することを含み得る。データ処理システムは、インターフェースを介して入力オーディオ信号を含むデータパケットを受信する。入力オーディオ信号は、マイクロフォンなどのローカルコンピューティングデバイスのセンサによって検出された可能性がある。ローカルコンピューティングデバイスは、ホテルなどの公共の場所に置かれる可能性がある。場合によっては、ローカルコンピューティングデバイスは、住居などの安全な私的な場所に置かれる可能性がある。ローカルコンピューティングデバイスは、音声入力を検出し、音声入力を前処理し、音声入力の少なくとも一部を含むデータパケットを生成し、データパケットをデータ処理システムに送信することができる。ローカルコンピューティングデバイスは、音声入力を検出することをローカルコンピューティングデバイスに示すトリガキーワードを特定したことに応答してデータパケットを送信し、その音声入力をデジタルデータパケットに変換し、さらなる処理のためにデジタルデータパケットをデータ処理システムに送信する可能性がある。
【０１２２】
行為504において、データ処理システムがシグネチャを特定する。データ処理システムは、入力オーディオ信号から音響シグネチャを特定することができる。データ処理システムは、音響シグネチャを特定するために話者認識技術、パターン認識、またはその他の技術を適用することができる。データ処理システムは、1つまたは複数の音響シグネチャを特定することができる。場合によっては、データ処理システムは、パスコード、パスワード、PIN、パスフレーズ、その他の生体認証、またはモバイルデバイスに送られたセキュリティコードによるような多要素認証をユーザに促すことができる。
【０１２３】
行為506において、データ処理システムがアカウントを特定する。データ処理システムは、電子アカウントを特定するためにデータリポジトリ内で音響シグネチャのルックアップを実行することができる。データ処理システムは、音響シグネチャに基づく認証または多要素認証が満たされたことに応答してルックアップを実行することができる。電子アカウントは、好み、ラベル、ポリシー、規則、あるいは誤ったもしくは無駄な遠隔手続き呼び出しまたはデータ送信を削減することができるその他の情報などのプロファイル情報を含み得る。
【０１２４】
場合によっては、データ処理システムは、音響シグネチャを使用せずにアカウントを特定することができる。データ処理システムは、様々な入力、センサ、またはインターフェースを使用してアカウントを特定することができる。たとえば、アカウントを特定するために音響シグネチャを使用するのではなく、データ処理システムは、ユーザが所有するモバイルデバイスに基づいてアカウントを特定し得る。モバイルデバイスは、ローカルコンピューティングデバイスと通信するまたはインタラクションすることができる。ユーザは、アカウントを使用してモバイルデバイスにログインすることができる。アカウントを使用してモバイルデバイスにログインすることは、ユーザ名(またはその他のアカウント識別子)およびパスワード(またはその他のトークン、キー、もしくは生体パスワード)などの資格証明情報をモバイルデバイス上で実行されるソフトウェアアプリケーションまたはオペレーティングシステムに入力し、資格証明情報を認証することを指す可能性がある。モバイルデバイスは、アカウント情報(たとえば、ユーザ名)をローカルコンピューティングデバイスに通信し、アカウントがモバイルデバイス上で認証されたことを示すことができる。ローカルコンピューティングデバイスは、アカウント識別子と、アカウント識別子が認証されたかまたは確認されたこととの指示をデータ処理システムを送信することができる。データ処理システムは、ローカルコンピューティングデバイスからアカウント識別子を受信し、対応する電子アカウントにアクセスし、対応するプロファイルを取り出すことができる。したがって、データ処理システムは、音響シグネチャを使用することを含む可能性がありまたは含まない可能性がある1つまたは複数の技術を使用してユーザに関連するアカウントを特定することができる。その他の技術は、光符号(たとえば、クイックリファレンスコード(quick reference code))、生物測定(たとえば、指紋、虹彩スキャナ、もしくは顔認識)を使用すること、アカウント識別子をタイピングするためにキーボード、マウス、もしくはタッチインターフェースを使用すること、またはアカウント識別子を与えるために音声入力を使用することを含み得る。
【０１２５】
行為508において、データ処理システムがセッションおよびプロファイルスタックを確立する。データ処理システムは、セッションおよびセッションにおいて使用するためのプロファイルスタックデータ構造を確立することができる。データ処理システムは、電子アカウントの特定または認証手順(たとえば、音響シグネチャに基づく認証、もしくは多要素認証、もしくは追加的な生体認証)の完了に応答してセッションおよびプロファイルスタックデータ構造を確立することができる。プロファイルスタックデータ構造は、第三者によって維持される公共の場所に置かれたローカルコンピューティングデバイスのためのものである可能性があるので、第三者エンティティ(たとえば、ホテルの管理者、モールの管理者、またはレンタカーの管理者)のデバイスによって構成された1つまたは複数のポリシーを有する第1のプロファイルレイヤを含み得る。
【０１２６】
行為510において、データ処理システムが第2のプロファイルをプッシュする。データ処理システムは、セッションのために確立されるプロファイルスタックデータ構造に第2のプロファイルを第2のプロファイルレイヤとしてプッシュすることができる。第1のプロファイルレイヤは、第2のプロファイルレイヤよりも優先される特定のラベルまたはポリシーを有する可能性がある。第2のプロファイルレイヤはデジタルコンポーネントを選択し、アクションデータ構造を生成するために利用され得るが、第1のプロファイルレイヤが、特定の種類のデジタルコンポーネントまたはアクションデータ構造が実行される(たとえば、ユーザに対して提示するために配信されるか、意図されるインターネットに接続されたデバイスに送信されるか、または相乗りサービスなどのサービスプロバイダに送信される)ことをブロックする可能性がある。
【０１２７】
行為512において、データ処理システムが要求を特定する。データ処理システムは、要求および要求に対応するトリガキーワードを特定するために入力オーディオ信号をパースすることができる。データ処理システムは、音響シグネチャ、電子アカウント、および第2のプロファイルを特定するために使用される同じ入力オーディオ信号をパースすることができる。場合によっては、データ処理システムは、電子アカウントおよびプロファイルを特定するために使用される第1の入力オーディオ信号の後に受信される第2の入力オーディオ信号を処理する可能性がある。データ処理システムは、第2の入力オーディオ信号内の要求およびトリガキーワードを特定する可能性がある。
【０１２８】
行為514において、データ処理システムがアクションデータ構造を生成し、提供する。データ処理システムは、要求と、トリガキーワードと、プロファイルスタックデータ構造にプッシュされた第2のプロファイルレイヤとに基づいてアクションデータ構造を生成することができる。アクションデータ構造は、要求に応じて生成され得る。アクションデータ構造は、プロファイルスタックデータ構造の第1のプロファイルレイヤに適合し得る。アクションデータ構造は音響シグネチャに関連する電子アカウントに関連する第2のプロファイルを使用して生成され得るが、データ処理システムは、生成されたアクションデータ構造が第1のプロファイルレイヤに適合するかまたは準拠しているかどうかを判定するためにエラーチェックを実行することができる。たとえば、第1のプロファイルレイヤは、誤りがあるか、または余分なネットワーク帯域幅もしくは計算リソースを消費する可能性がある特定の種類のアクションデータ構造をブロックするか、防止するか、または禁止する可能性がある。
【０１２９】
アクションデータ構造が第1のプロファイルレイヤに準拠していると判定すると、データ処理システムは、実行するために第1のアクションデータ構造を提供することができる。実行するためにアクションデータ構造を提供することは、アクションを実行するかもしくは命令を与えるためにインターネットに接続されたデバイスにアクションデータ構造を送信すること、サービスプロバイダにアクションデータ構造を送信すること、またはデジタルコンポーネントを受信するためにコンテンツセレクタコンポーネントにアクションデータ構造を提供することを含み得る。
【０１３０】
行為516において、データ処理システムがプロファイルスタック142を分解する。データ処理システムは、トリガイベントの検出に応じてプロファイルスタックを分解することができる。データ処理システムは、プロファイルスタックデータ構造から第1のプロファイルレイヤまたは第2のプロファイルレイヤのうちの一方を取り除くことによってプロファイルスタックデータ構造を分解することができる。たとえば、データ処理システムは、音響シグネチャに対応する第2のプロファイルを取り除くことによってプロファイルスタックをデフォルト設定にリセットすることができる。トリガイベントは、時間間隔(たとえば、ユーザによって設定されたカスタムの時間間隔、または10分、20分、30分、1時間、12時間、もしくは24時間などの所定の時間間隔)を含み得る。トリガイベントは、地理的フェンス、または第1のユーザとは異なる第2のユーザの検出を含み得る。
【０１３１】
プロファイルスタックデータ構造を使用することによって、データ処理システムは、ローカルコンピューティングデバイスによって受信されるコマンドの曖昧さをなくすことを容易にし得る。たとえば、データ処理システムは、「家のライト」という文法を用いたコマンドを受信する可能性がある。データ処理システムは、「家のライト」に対応する1つまたは複数のインターネットに接続されたデバイスを特定するために第2のプロファイルを調べることができる。しかし、第1のプロファイルレイヤは、「家のライト」に対応するラベルも含む可能性がある。データ処理システムは、どのインターネットに接続されたデバイスが制御されるべきかを解読するためにユーザにプロンプトを与える可能性がある。たとえば、データ処理システムは、第2のプロファイルに基づいてアクションデータ構造を生成し、それから、生成されたアクションデータ構造が第1のプロファイルに準拠しているかどうかを判定するためにアクションデータ構造を第1のプロファイル内のポリシーまたは規則と比較することができる。場合によっては、データ処理システムは、ラベルが第1のプロファイル内のラベルと重なり合うのでアクションデータ構造が準拠していないと判定し、したがって、さらなるプロンプトなしにアクションデータ構造の送信または実行をブロックすることができる。
【０１３２】
図6は、例示的なコンピュータシステム600のブロック図である。コンピュータシステムまたはコンピューティングデバイス600は、システム100、またはデータ処理システム102などのそのシステム100のコンポーネントを含むかまたはそれらを実装するために使用され得る。データ処理システム102は、インテリジェントなパーソナルアシスタントまたは音声に基づくデジタルアシスタントを含み得る。コンピューティングシステム600は、情報を通信するためのバス605またはその他の通信コンポーネントと、情報を処理するためのバス605に結合されたプロセッサ610または処理回路とを含む。また、コンピューティングシステム600は、情報を処理するためのバスに結合された1つまたは複数のプロセッサ610または処理回路を含み得る。コンピューティングシステム600は、情報およびプロセッサ610によって実行される命令を記憶するためのバス605に結合されたランダムアクセスメモリ(RAM)またはその他のダイナミックストレージデバイスなどのメインメモリ615も含む。メインメモリ615は、データリポジトリ124であるかまたはデータリポジトリ124を含む可能性がある。メインメモリ615は、位置情報、一時的な変数、またはプロセッサ610による命令の実行中のその他の中間情報を記憶するためにも使用され得る。コンピューティングシステム600は、静的な情報およびプロセッサ610のための命令を記憶するためのバス605に結合された読み出し専用メモリ(ROM)620またはその他のスタティックストレージデバイスをさらに含む可能性がある。ソリッドステートデバイス、磁気ディスク、または光ディスクなどのストレージデバイス625が、情報および命令を永続的に記憶するためにバス605に結合され得る。ストレージデバイス625は、データリポジトリ124を含むかまたはデータリポジトリ124の一部である可能性がある。
【０１３３】
コンピューティングシステム600は、ユーザに対して情報を表示するための液晶ディスプレイまたはアクティブマトリックスディスプレイなどのディスプレイ635にバス605を介して結合される可能性がある。英数字およびその他のキーを含むキーボードなどの入力デバイス630が、プロセッサ610に情報およびコマンド選択を通信するためにバス605に結合される可能性がある。入力デバイス630は、タッチスクリーンディスプレイ635を含み得る。入力デバイス630は、プロセッサ610に方向情報およびコマンド選択を通信するためおよびディスプレイ635上でカーソルの動きを制御するためのマウス、トラックボール、またはカーソル方向キーなどのカーソルコントロールも含み得る。ディスプレイ635は、たとえば、図1のデータ処理システム102、クライアントコンピューティングデバイス104、またはその他のコンポーネントの一部である可能性がある。
【０１３４】
本明細書において説明されるプロセス、システム、および方法は、メインメモリ615に含まれる命令の配列をプロセッサ610が実行したことに応答してコンピューティングシステム600によって実施され得る。そのような命令は、ストレージデバイス625などの別のコンピュータ可読媒体からメインメモリ615に読まれ得る。メインメモリ615に含まれる命令の配列の実行は、コンピューティングシステム600に本明細書において説明される例示的なプロセスを実行させる。マルチプロセッシング配列の1つまたは複数のプロセッサも、メインメモリ615に含まれる命令を実行するために使用される可能性がある。配線による回路が、本明細書において説明されるシステムおよび方法と一緒にソフトウェア命令の代わりにまたはソフトウェア命令と組み合わせて使用され得る。本明細書において説明されるシステムおよび方法は、ハードウェア回路とソフトウェアとのいかなる特定の組合せにも限定されない。
【０１３５】
例示的なコンピューティングシステムが図6に示されたが、本明細書に記載の動作を含む対象は、本明細書において開示された構造およびそれらの構造的均等物を含む、その他の種類のデジタル電子回路、またはコンピュータソフトウェア、ファームウェア、もしくはハードウェア、またはそれらのうちの1つもしくは複数の組合せで実装され得る。
【０１３６】
本明細書に記載のシステムがユーザについての個人情報を収集するか、または個人情報を利用する可能性がある状況に関して、ユーザは、プログラムまたは機能が個人情報(たとえば、ユーザのソーシャルネットワーク、ソーシャルなアクションもしくは活動、ユーザの好み、またはユーザの位置についての情報)を収集し得るかどうかを制御するか、あるいはユーザにより関連性がある可能性があるコンテンツをコンテンツサーバもしくはその他のデータ処理システムから受信すべきかどうかまたはどのようにして受信すべきかを制御する機会を与えられる可能性がある。さらに、特定のデータが、パラメータを生成するときに個人を特定することができる情報が削除されるように、記憶されるかまたは使用される前に1つまたは複数の方法で匿名化される可能性がある。たとえば、ユーザの識別情報が、個人を特定することができる情報がユーザに関して決定され得ないように匿名化される可能性があり、または(都市、郵便番号、もしくは州のレベルまでなど)位置情報が取得される場合に、ユーザの地理的位置が、ユーザの特定の位置が決定され得ないように一般化される可能性がある。したがって、ユーザは、情報がユーザについてどのように収集され、コンテンツサーバによって使用されるかを制御し得る。
【０１３７】
本明細書に記載の対象および動作は、本明細書において開示された構造およびそれらの構造的均等物を含むデジタル電子回路、またはコンピュータソフトウェア、ファームウェア、もしくはハードウェア、またはこれらのうちの1つもしくは複数の組合せで実装され得る。本明細書に記載の対象は、1つまたは複数のコンピュータプログラム、たとえば、データ処理装置による実行のために、またはデータ処理装置の動作を制御するために1つまたは複数のコンピュータストレージ媒体上に符号化されたコンピュータプログラム命令の1つまたは複数の回路として実装され得る。代替的にまたは追加的に、プログラム命令は、データ処理装置による実行のために好適なレシーバ装置に送信するために情報を符号化するように生成される人為的に生成された伝播信号、たとえば、機械によって生成された電気的信号、光学的信号、または電磁的信号上に符号化され得る。コンピュータストレージ媒体は、コンピュータ可読ストレージデバイス、コンピュータ可読ストレージ基板、ランダムもしくはシリアルアクセスメモリアレイもしくはデバイス、またはこれらのうちの1つもしくは複数の組合せであるか、あるいはこれらに含まれる可能性がある。コンピュータストレージ媒体は、伝播信号ではないが、人為的に生成された伝播信号に符号化されたコンピュータプログラム命令の送信元または送信先である可能性がある。コンピュータストレージ媒体は、1つまたは複数の別個のコンポーネントまたは媒体(たとえば、複数のCD、ディスク、もしくはその他のストレージデバイス)であるか、またはそれらに含まれる可能性もある。本明細書に記載の動作は、1つもしくは複数のコンピュータ可読ストレージデバイスに記憶された、またはその他のソースから受信されたデータに対してデータ処理装置によって実行される動作として実装され得る。
【０１３８】
「データ処理システム」、「コンピューティングデバイス」、「コンポーネント」、または「データ処理装置」という用語は、例として、1つのプログラミング可能なプロセッサ、1台のコンピュータ、1つのシステムオンチップ、またはそれらの複数もしくは組合せを含む、データを処理するための様々な装置、デバイス、および機械を包含する。装置は、専用の論理回路、たとえば、FPGA(フィールドプログラマブルゲートアレイ)またはASIC(特定用途向け集積回路)を含み得る。装置は、ハードウェアに加えて、問題にしているコンピュータプログラムのための実行環境を作成するコード、たとえば、プロセッサのファームウェア、プロトコルスタック、データベース管理システム、オペレーティングシステム、クロスプラットフォームランタイム環境、仮想マシン、またはそれらのうちの1つもしくは複数の組合せを構成するコードも含み得る。装置および実行環境は、ウェブサービスインフラストラクチャ、分散コンピューティングインフラストラクチャ、およびグリッドコンピューティングインフラストラクチャなどの様々な異なるコンピューティングモデルインフラストラクチャを実現することができる。たとえば、ダイレクトアクションAPI 116、コンテンツセレクタコンポーネント118、またはNLPコンポーネント112、およびその他のデータ処理システム102のコンポーネントは、1つまたは複数のデータ処理装置、システム、コンピューティングデバイス、またはプロセッサを含むかまたは共有し得る。
【０１３９】
コンピュータプログラム(プログラム、ソフトウェア、ソフトウェアアプリケーション、アプリ、スクリプト、またはコードとしても知られる)は、コンパイラ型言語もしくはインタープリタ型言語、宣言型言語もしくは手続き型言語を含む任意の形態のプログラミング言語で記述可能であり、独立型プログラムとしての形態、またはモジュール、コンポーネント、サブルーチン、オブジェクト、もしくはコンピューティング環境での使用に好適なその他の単位としての形態を含む任意の形態で展開され得る。コンピュータプログラムは、ファイルシステム内のファイルに対応し得る。コンピュータプログラムは、その他のプログラムもしくはデータを保持するファイルの一部(たとえば、マークアップ言語のドキュメントに記憶された1つもしくは複数のスクリプト)、問題にしているプログラムに専用の単一のファイル、または複数の連携されたファイル(たとえば、1つもしくは複数のモジュール、サブプログラム、もしくはコードの一部を記憶するファイル)に記憶され得る。コンピュータプログラムは、1つのコンピュータ上で、または1つの場所に置かれるか、もしくは複数の場所に分散され、通信ネットワークによって相互に接続される複数のコンピュータ上で実行されるように展開され得る。
【０１４０】
本明細書に記載のプロセスおよび論理フローは、入力データに対して演算を行い、出力を生成することによってアクションを行うために1つまたは複数のコンピュータプログラム(たとえば、データ処理システム102のコンポーネント)を1つまたは複数のプログラミング可能なプロセッサが実行することによって実行され得る。また、プロセスおよび論理フローは、専用の論理回路、たとえば、FPGA(フィールドプログラマブルゲートアレイ)またはASIC(特定用途向け集積回路)によって実行される可能性があり、さらに、装置は、それらの専用の論理回路として実装される可能性がある。コンピュータプログラム命令およびデータを記憶するのに適したデバイスは、例として、半導体メモリデバイス、たとえば、EPROM、EEPROM、およびフラッシュメモリデバイス、磁気ディスク、たとえば、内蔵ハードディスクまたはリムーバブルディスク、光磁気ディスク、ならびにCD-ROMディスクおよびDVD-ROMディスクを含む、すべての形態の不揮発性メモリ、媒体、およびメモリデバイスを含む。プロセッサおよびメモリは、専用の論理回路によって補完されるか、または専用の論理回路に組み込まれ得る。
【０１４１】
本明細書に記載の対象は、バックエンドコンポーネントを、たとえば、データサーバとして含むか、またはミドルウェアコンポーネント、たとえば、アプリケーションサーバを含むか、またはフロントエンドコンポーネント、たとえば、ユーザが本明細書に記載の対象の実装とインタラクションすることができるグラフィカルユーザインターフェースもしくはウェブブラウザを有するクライアントコンピュータを含むか、または1つもしくは複数のそのようなバックエンドコンポーネント、ミドルウェアコンポーネント、もしくはフロントエンドコンポーネントの組合せを含むコンピューティングシステムに実装され得る。システムのコンポーネントは、任意の形態または媒体のデジタルデータ通信、たとえば、通信ネットワークによって相互に接続され得る。通信ネットワークの例は、ローカルエリアネットワーク(「LAN」)およびワイドエリアネットワーク(「WAN」)、インターネットワーク(たとえば、インターネット)、ならびにピアツーピアネットワーク(たとえば、アドホックピアツーピアネットワーク)を含む。
【０１４２】
システム100またはシステム600などのコンピューティングシステムは、クライアントおよびサーバを含み得る。クライアントおよびサーバは、概して互いに離れており、通常は通信ネットワーク(たとえば、ネットワーク105)を通じてインタラクションする。クライアントとサーバとの関係は、それぞれのコンピュータ上で実行されており、互いにクライアント-サーバの関係にあるコンピュータプログラムによって生じる。一部の実装において、サーバは、(たとえば、クライアントデバイスとインタラクションするユーザに対してデータを表示し、そのようなユーザからユーザ入力を受け取る目的で)クライアントデバイスにデータ(たとえば、デジタルコンポーネントを表すデータパケット)を送信する。クライアントデバイスにおいて生成されたデータ(たとえば、ユーザインタラクションの結果)は、サーバにおいてクライアントデバイスから受信され得る(たとえば、ローカルコンピューティングデバイス104またはコンテンツプロバイダコンピューティングデバイス106または第三者デバイス146からデータ処理システム102によって受信され得る)。
【０１４３】
動作が特定の順序で図面に示されているが、そのような動作は、示された特定の順序でまたは逐次的順序で実行される必要があるわけではなく、すべての示された動作が、実行される必要があるわけではない。本明細書に記載のアクションは、異なる順序で実行され得る。
【０１４４】
様々なシステムコンポーネントの分割は、すべての実装において分割を必要とするわけではなく、説明されたプログラムコンポーネントは、単一のハードウェアまたはソフトウェア製品に含まれる可能性がある。たとえば、NLPコンポーネント112またはコンテンツセレクタコンポーネント118は、単一のコンポーネント、アプリ、もしくはプログラム、または1つもしくは複数の処理回路を有する論理デバイス、またはデータ処理システム102の1つもしくは複数のサーバの一部である可能性がある。
【０１４５】
ここにいくつかの例示的な実装を説明したが、以上は例示的であり、限定的でなく、例として提示されたことは明らかである。特に、本明細書において提示された例の多くは方法の行為またはシステムの要素の特定の組合せを含むが、それらの行為およびそれらの要素は、同じ目的を達成するためにその他の方法で組み合わされる可能性がある。1つの実装に関連して検討された行為、要素、および特徴は、その他の実装または実装の同様の役割から除外されるように意図されていない。
【０１４６】
本明細書において使用された語法および術語は、説明を目的としており、限定と見なされるべきでない。本明細書における「〜を含む(including)」、「〜を含む(comprising)」、「〜を有する」、「〜を含む(containing)」、「〜を含む(involving)」、「〜によって特徴付けられる(characterized by)」、「〜ことを特徴とする(characterized in that)」、およびこれらの変化形の使用は、その後に列挙された項目、それらの項目の均等物、および追加的な項目、ならびにその後に列挙された項目だけからなる代替的な実装を包含するように意図される。1つの実装において、本明細書に記載のシステムおよび方法は、説明された要素、行為、またはコンポーネントのうちの1つ、2つ以上のそれぞれの組合せ、またはすべてからなる。
【０１４７】
本明細書において単数形で言及されたシステムおよび方法の実装または要素または行為へのすべての言及は、複数のこれらの要素を含む実装も包含する可能性があり、本明細書における任意の実装または要素または行為への複数形のすべての言及は、単一の要素のみを含む実装も包含する可能性がある。単数形または複数形の言及は、ここに開示されたシステムもしくは方法、それらのコンポーネント、行為、または要素を単一のまたは複数の構成に限定するように意図されていない。任意の情報、行為、または要素に基づいている任意の行為または要素への言及は、行為または要素が任意の情報、行為、または要素に少なくとも部分的に基づく実装を含み得る。
【０１４８】
本明細書において開示された任意の実装は、任意のその他の実装または実施形態と組み合わされる可能性があり、「実装」、「いくつかの実装」、「1つの実装」などの言及は、必ずしも相互排他的ではなく、実装に関連して説明された特定の特徴、構造、または特色が少なくとも1つの実装または実施形態に含まれる可能性があることを示すように意図される。本明細書において使用されるそのような用語は、必ずしもすべてが同じ実装に言及していない。任意の実装は、本明細書において開示された態様および実装に合致する任意の方法で包括的または排他的に任意のその他の実装と組み合わされる可能性がある。
【０１４９】
「または(or)」との言及は、「または(or)」を使用して記載された任意の項が、記載された項のうちの1つ、2つ以上、およびすべてのいずれかを示す可能性があるように包括的であると見なされ得る。たとえば、「『A』および『B』のうちの少なくとも一方」との言及は、「A」のみ、「B」のみ、および「A」と「B」との両方を含み得る。「〜を含む」またはその他の非限定的用語(open terminology)と関連して使用されるそのような言及は、追加的な項を含み得る。
【０１５０】
図面、詳細な説明、または任意の請求項の技術的な特徴が後に参照符号を付されている場合、参照符号は、図面、詳細な説明、および請求項を理解し易くするために含められたものである。したがって、参照符号があることもないことも、いかなる請求項の要素の範囲に対してのいかなる限定的な効果も持たない。
【０１５１】
本明細書に記載のシステムおよび方法は、それらの特徴を逸脱することなくその他の特定の形態で具現化される可能性がある。上述の実装は、説明されたシステムおよび方法の限定ではなく、例示的である。したがって、本明細書に記載のシステムおよび方法の範囲は、上述の説明ではなく添付の請求項によって示され、請求項の均等の意味および範囲内に入る変更は、それに包含される。
【符号の説明】
【０１５２】
100  システム
102  データ処理システム
104  ローカルコンピューティングデバイス
105  ネットワーク
106  コンテンツプロバイダコンピューティングデバイス、コンテンツプロバイダ
108  サービスプロバイダコンピューティングデバイス、サービスプロバイダ
110  インターフェース
112  自然言語プロセッサコンポーネント
114  スタック作成エンジンコンポーネント
116  ダイレクトアクションAPI
118  コンテンツセレクタコンポーネント
120  話者認識コンポーネント
122  テンプレートリポジトリ
124  データリポジトリ
126  パラメータ
128  ポリシー
130  コンテンツデータ
132  シグネチャおよびアカウント
134  センサ
136  トランスデューサ
138  オーディオドライバ
140  プリプロセッサ
142  プロファイルスタック
144  モバイルコンピューティングデバイス
146  第三者デバイス、第三者
148  光源
200  環境
202  安全な公共の場所
204  インターネットに接続された電気通信デバイス
206  インターネットに接続されたサーモスタット
208  インターネットに接続されたランプ
210  インターネットに接続されたスピーカ
212  インターネットに接続されたマルチメディアディスプレイ
214  ワイヤレスゲートウェイ
300  環境
302  安全でない公共の場所
304  安全な公共の場所の外
306  命令
400  環境
402  安全な私的な場所
500  方法
600  システム
605  バス
610  プロセッサ
615  メインメモリ
620  ROM
625  ストレージデバイス
630  入力デバイス
635  ディスプレイ
【図１】
0006797916.tif 000002
【図２】
0006797916.tif 000003
【図３】
0006797916.tif 000004
【図４】
0006797916.tif 000005
【図５】
0006797916.tif 000006
【図６】
0006797916.tif 000007